(57)【要約】  本願の実施例はデータを伝送する方法及び装置を開示し、データ伝送の柔軟性を高めることができる。該方法は、ネットワーク装置は端末装置に設定情報を送信し、前記設定情報は、1つのアップリンクデータブロックの伝送の開始位置を指示するための情報、1つのアップリンクデータブロックの伝送の終了位置を指示するための情報、1つのアップリンクデータブロックの伝送の参照信号を設定するための情報、のうちの少なくとも1つを含むことと、前記ネットワーク装置は前記設定情報に基づいて、前記端末装置が送信したアップリンクデータブロックを受信することと、を含む。
2021502715.tif 000002
【特許請求の範囲】
【請求項１】
ネットワーク装置は端末装置に設定情報を送信し、前記設定情報は、
1つのアップリンクデータブロックの伝送の開始位置を指示するための情報、1つのアップリンクデータブロックの伝送の終了位置を指示するための情報、1つのアップリンクデータブロックの伝送の参照信号を設定するための情報、のうちの少なくとも1つを含むことと、
前記ネットワーク装置は前記設定情報に基づいて、前記端末装置が送信したアップリンクデータブロックを受信することと、を含むことを特徴とするデータを伝送する方法。
【請求項２】
前記1つのアップリンクデータブロックの伝送の開始位置を指示するための情報は、非動的リソースにおける任意の位置で前記1つのアップリンクデータブロックの初回の伝送が開始可能であるかどうかを指示することに用いられ、前記非動的リソースは非動的スケジューリング伝送のためのリソースであることを特徴とする請求項1に記載の方法。
【請求項３】
前記1つのアップリンクデータブロックの伝送の開始位置を指示するための情報は、非動的リソースにおいて1つのアップリンクデータブロックの初回の伝送が開始可能なリソース位置を指示することに用いられ、前記非動的リソースは非動的スケジューリング伝送のためのリソースであることを特徴とする請求項1に記載の方法。
【請求項４】
前記1つのアップリンクデータブロックの伝送の終了位置を指示するための情報は、非動的リソースにおいて1つのアップリンクデータブロックを送信するための終了位置を指示することに用いられ、前記非動的リソースは非動的スケジューリング伝送のためのリソースであることを特徴とする請求項1〜3のいずれか1項に記載の方法。
【請求項５】
前記非動的リソースにおいて1つのアップリンクデータブロックを送信するための終了位置は、非動的リソースの周期内での最後の伝送機会であることを特徴とする請求項4に記載の方法。
【請求項６】
前記アップリンクデータブロックの参照信号の情報は、少なくとも1つのルートシーケンスの情報、及び少なくとも1つのサイクリックシフトシーケンスの情報を含むことを特徴とする請求項1〜5のいずれか1項に記載の方法。
【請求項７】
前記少なくとも1つのルートシーケンスの情報は1つのルートシーケンスの情報であり、前記少なくとも1つのサイクリックシフトシーケンスの情報は複数のサイクリックシフトシーケンスの情報であり、異なるサイクリックシフトシーケンスは異なる伝送回数に対応することを特徴とする請求項6に記載の方法。
【請求項８】
前記少なくとも1つのルートシーケンスの情報は複数のルートシーケンスの情報であり、前記少なくとも1つのサイクリックシフトシーケンスの情報は1つのサイクリックシフトシーケンスの情報であり、異なるルートシーケンスは異なる伝送回数に対応することを特徴とする請求項6に記載の方法。
【請求項９】
前記1つのアップリンクデータブロックの伝送の開始位置を指示するための情報は、複数のサービスセルが共有するものであり、或いは、1つのサービスセルに対するものであり、又は、
前記1つのアップリンクデータブロックの伝送の終了位置を指示するための情報は、複数のセルが共有するものであり、或いは、1つのセルに対するものであり、又は、
前記1つのアップリンクデータブロックの伝送の参照信号を設定するための情報は、複数のサービスセルが共有するものであり、或いは、1つのサービスセルに対するものであることを特徴とする請求項1〜8のいずれか1項に記載の方法。
【請求項１０】
前記1つのアップリンクデータの伝送の開始位置を指示するための情報は、複数の非動的リソース設定が共有するものであり、或いは、1つの非動的リソース設定に対するものであり、又は、
前記1つのアップリンクデータの伝送の終了位置を指示するための情報は、複数の非動的リソース設定が共有するものであり、或いは、1つの非動的リソース設定に対するものであり、又は、
前記1つのアップリンクデータブロックの伝送の参照信号を設定するための情報は、複数の非動的リソース設定が共有するものであり、或いは、1つの非動的リソース設定に対するものであることを特徴とする請求項1〜9のいずれか1項に記載の方法。
【請求項１１】
前記非動的スケジューリングは、動的スケジューリング以外の他のスケジューリング方式であることを特徴とする請求項2〜5のいずれか1項に記載の方法。
【請求項１２】
前記非動的スケジューリングは、半静的設定の伝送方式、半静的設定と動的トリガーの伝送方式を含むことを特徴とする請求項2〜5、11のいずれか1項に記載の方法。
【請求項１３】
端末装置はネットワーク装置が送信した設定情報を受信し、前記設定情報は、
1つのアップリンクデータブロックの伝送の開始位置を指示するための情報、1つのアップリンクデータブロックの伝送の終了位置を指示するための情報、1つのアップリンクデータブロックの伝送の参照信号を設定するための情報、のうちの少なくとも1つを含むことと、
前記端末装置は前記設定情報に基づいて、前記ネットワーク装置にアップリンクデータを送信することと、を含むことを特徴とするデータを伝送する方法。
【請求項１４】
前記1つのアップリンクデータブロックの伝送の開始位置を指示するための情報は、非動的リソースにおける任意の位置で前記1つのアップリンクデータブロックの初回の伝送が開始可能であるかどうかを指示することに用いられ、前記非動的リソースは非動的スケジューリング伝送のためのリソースであることを特徴とする請求項13に記載の方法。
【請求項１５】
前記1つのアップリンクデータブロックの伝送の開始位置を指示するための情報は、非動的リソースにおいて1つのアップリンクデータブロックの初回の伝送が開始可能なリソース位置を指示することに用いられ、前記非動的リソースは非動的スケジューリング伝送のためのリソースであることを特徴とする請求項13に記載の方法。
【請求項１６】
前記1つのアップリンクデータブロックの伝送の終了位置を指示するための情報は、非動的リソースにおいて1つのアップリンクデータブロックを送信するための終了位置を指示することに用いられ、前記非動的リソースは非動的スケジューリング伝送のためのリソースであることを特徴とする請求項13〜15のいずれか1項に記載の方法。
【請求項１７】
前記非動的リソースにおいて1つのアップリンクデータブロックを送信するための終了位置は、非動的リソースの周期内での最後の伝送機会であることを特徴とする請求項16に記載の方法。
【請求項１８】
前記アップリンクデータブロックの参照信号の情報は、少なくとも1つのルートシーケンスの情報、及び少なくとも1つのサイクリックシフトシーケンスの情報を含むことを特徴とする請求項13〜17のいずれか1項に記載の方法。
【請求項１９】
前記少なくとも1つのルートシーケンスの情報は1つのルートシーケンスの情報であり、前記少なくとも1つのサイクリックシフトシーケンスの情報は複数のサイクリックシフトシーケンスの情報であり、異なるサイクリックシフトシーケンスは異なる伝送回数に対応することを特徴とする請求項18に記載の方法。
【請求項２０】
前記端末装置が前記設定情報に基づいて、前記ネットワーク装置にアップリンクデータを送信することは、
前記端末装置は前記アップリンクデータの伝送回数に基づいて、前記複数のサイクリックシフトシーケンスから対応のターゲットサイクリックシフトシーケンスを確定することと、
前記ルートシーケンスとターゲットサイクリックシフトシーケンスに基づいて、対応する参照信号シーケンスを生成することと、
前記端末装置は前記参照信号シーケンスを送信することと、を含むことを特徴とする請求項19に記載の方法。
【請求項２１】
前記少なくとも1つのルートシーケンスの情報は複数のルートシーケンスの情報であり、前記少なくとも1つのサイクリックシフトシーケンスの情報は1つのサイクリックシフトシーケンスの情報であり、異なるルートシーケンスは異なる伝送回数に対応することを特徴とする請求項18に記載の方法。
【請求項２２】
前記端末装置が前記設定情報に基づいて、前記ネットワーク装置にアップリンクデータを送信することは、
前記端末装置は前記アップリンクデータの伝送回数に基づいて、前記複数のルートシーケンスから対応のターゲットルートシーケンスを確定することと、
前記ターゲットルートシーケンスとサイクリックシフトシーケンスに基づいて、対応する参照信号シーケンスを生成することと、
前記端末装置は前記参照信号シーケンスを送信することと、を含むことを特徴とする請求項21に記載の方法。
【請求項２３】
前記1つのアップリンクデータブロックの伝送の開始位置を指示するための情報は、複数のサービスセルが共有するものであり、或いは、1つのサービスセルに対するものであり、又は、
前記1つのアップリンクデータブロックの伝送の終了位置を指示するための情報は、複数のセルが共有するものであり、或いは、1つのセルに対するものであり、又は、
前記1つのアップリンクデータブロックの伝送の参照信号を設定するための情報は、複数のサービスセルが共有するものであり、或いは、1つのサービスセルに対するものであることを特徴とする請求項13〜22のいずれか1項に記載の方法。
【請求項２４】
前記1つのアップリンクデータの伝送の開始位置を指示するための情報は、複数の非動的リソース設定が共有するものであり、或いは、1つの非動的リソース設定に対するものであり、又は、
前記1つのアップリンクデータの伝送の終了位置を指示するための情報は、複数の非動的リソース設定が共有するものであり、或いは、1つの非動的リソース設定に対するものであり、又は、
前記1つのアップリンクデータブロックの伝送の参照信号を設定するための情報は、複数の非動的リソース設定が共有するものであり、或いは、1つの非動的リソース設定に対するものであることを特徴とする請求項13〜23のいずれか1項に記載の方法。
【請求項２５】
前記非動的スケジューリングは、動的スケジューリング以外の他のスケジューリング方式であることを特徴とする請求項14〜17のいずれか1項に記載の方法。
【請求項２６】
前記非動的スケジューリングは、半静的設定の伝送方式、半静的設定と動的トリガーの伝送方式を含むことを特徴とする請求項14〜17、25のいずれか1項に記載の方法。
【請求項２７】
端末装置に設定情報を送信することに用いられ、前記設定情報は、1つのアップリンクデータブロックの伝送の開始位置を指示するための情報、1つのアップリンクデータブロックの伝送の終了位置を指示するための情報、1つのアップリンクデータブロックの伝送の参照信号を設定するための情報、のうちの少なくとも1つを含む送信モジュールと、
前記設定情報に基づいて、前記端末装置が送信したアップリンクデータブロックを受信することに用いられる受信モジュールと、を備えることを特徴とするデータを伝送する装置。
【請求項２８】
前記1つのアップリンクデータブロックの伝送の開始位置を指示するための情報は、非動的リソースにおける任意の位置で前記1つのアップリンクデータブロックの初回の伝送が開始可能であるかどうかを指示することに用いられ、前記非動的リソースは非動的スケジューリング伝送のためのリソースであることを特徴とする請求項27に記載の装置。
【請求項２９】
前記1つのアップリンクデータブロックの伝送の開始位置を指示するための情報は、非動的リソースにおいて1つのアップリンクデータブロックの初回の伝送が開始可能なリソース位置を指示することに用いられ、前記非動的リソースは非動的スケジューリング伝送のためのリソースであることを特徴とする請求項27に記載の装置。
【請求項３０】
前記1つのアップリンクデータブロックの伝送の終了位置を指示するための情報は、非動的リソースにおいて1つのアップリンクデータブロックを送信するための終了位置を指示することに用いられ、前記非動的リソースは非動的スケジューリング伝送のためのリソースであることを特徴とする請求項27〜29のいずれか1項に記載の装置。
【請求項３１】
前記非動的リソースにおいて1つのアップリンクデータブロックを送信するための終了位置は、非動的リソースの周期内での最後の伝送機会であることを特徴とする請求項30に記載の装置。
【請求項３２】
前記アップリンクデータブロックの参照信号の情報は、少なくとも1つのルートシーケンスの情報、及び少なくとも1つのサイクリックシフトシーケンスの情報を含むことを特徴とする請求項27〜31のいずれか1項に記載の装置。
【請求項３３】
前記少なくとも1つのルートシーケンスの情報は1つのルートシーケンスの情報であり、前記少なくとも1つのサイクリックシフトシーケンスの情報は複数のサイクリックシフトシーケンスの情報であり、異なるサイクリックシフトシーケンスは異なる伝送回数に対応することを特徴とする請求項32に記載の装置。
【請求項３４】
前記少なくとも1つのルートシーケンスの情報は複数のルートシーケンスの情報であり、前記少なくとも1つのサイクリックシフトシーケンスの情報は1つのサイクリックシフトシーケンスの情報であり、異なるルートシーケンスは異なる伝送回数に対応することを特徴とする請求項32に記載の装置。
【請求項３５】
前記1つのアップリンクデータブロックの伝送の開始位置を指示するための情報は、複数のサービスセルが共有するものであり、或いは、1つのサービスセルに対するものであり、又は、
前記1つのアップリンクデータブロックの伝送の終了位置を指示するための情報は、複数のセルが共有するものであり、或いは、1つのセルに対するものであり、又は、
前記1つのアップリンクデータブロックの伝送の参照信号を設定するための情報は、複数のサービスセルが共有するものであり、或いは、1つのサービスセルに対するものであることを特徴とする請求項27〜34のいずれか1項に記載の装置。
【請求項３６】
前記1つのアップリンクデータの伝送の開始位置を指示するための情報は、複数の非動的リソース設定が共有するものであり、或いは、1つの非動的リソース設定に対するものであり、又は、
前記1つのアップリンクデータの伝送の終了位置を指示するための情報は、複数の非動的リソース設定が共有するものであり、或いは、1つの非動的リソース設定に対するものであり、又は、
前記1つのアップリンクデータブロックの伝送の参照信号を設定するための情報は、複数の非動的リソース設定が共有するものであり、或いは、1つの非動的リソース設定に対するものであることを特徴とする請求項27〜35のいずれか1項に記載の装置。
【請求項３７】
前記非動的スケジューリングは、動的スケジューリング以外の他のスケジューリング方式であることを特徴とする請求項28〜31のいずれか1項に記載の装置。
【請求項３８】
前記非動的スケジューリングは、半静的設定の伝送方式、半静的設定と動的トリガーの伝送方式を含むことを特徴とする請求項28〜31、37のいずれか1項に記載の装置。
【請求項３９】
ネットワーク装置が送信した設定情報を受信することに用いられ、前記設定情報は、1つのアップリンクデータブロックの伝送の開始位置を指示するための情報、1つのアップリンクデータブロックの伝送の終了位置を指示するための情報、1つのアップリンクデータブロックの伝送の参照信号を設定するための情報、のうちの少なくとも1つを含む受信モジュールと、
前記設定情報に基づいて、前記ネットワーク装置にアップリンクデータを送信することに用いられる送信モジュールと、を備えることを特徴とするデータを伝送する装置。
【請求項４０】
前記1つのアップリンクデータブロックの伝送の開始位置を指示するための情報は、非動的リソースにおける任意の位置で前記1つのアップリンクデータブロックの初回の伝送が開始可能であるかどうかを指示することに用いられ、前記非動的リソースは非動的スケジューリング伝送のためのリソースであることを特徴とする請求項39に記載の装置。
【請求項４１】
前記1つのアップリンクデータブロックの伝送の開始位置を指示するための情報は、非動的リソースにおいて1つのアップリンクデータブロックの初回の伝送が開始可能なリソース位置を指示することに用いられ、前記非動的リソースは非動的スケジューリング伝送のためのリソースであることを特徴とする請求項39に記載の装置。
【請求項４２】
前記1つのアップリンクデータブロックの伝送の終了位置を指示するための情報は、非動的リソースにおいて1つのアップリンクデータブロックを送信するための終了位置を指示することに用いられ、前記非動的リソースは非動的スケジューリング伝送のためのリソースであることを特徴とする請求項39〜41のいずれか1項に記載の装置。
【請求項４３】
前記非動的リソースにおいて1つのアップリンクデータブロックを送信するための終了位置は、非動的リソースの周期内での最後の伝送機会であることを特徴とする請求項42に記載の装置。
【請求項４４】
前記アップリンクデータブロックの参照信号の情報は、少なくとも1つのルートシーケンスの情報、及び少なくとも1つのサイクリックシフトシーケンスの情報を含むことを特徴とする請求項39〜43のいずれか1項に記載の装置。
【請求項４５】
前記少なくとも1つのルートシーケンスの情報は1つのルートシーケンスの情報であり、前記少なくとも1つのサイクリックシフトシーケンスの情報は複数のサイクリックシフトシーケンスの情報であり、異なるサイクリックシフトシーケンスは異なる伝送回数に対応することを特徴とする請求項44に記載の装置。
【請求項４６】
前記アップリンクデータの伝送回数に基づいて、前記複数のサイクリックシフトシーケンスから対応のターゲットサイクリックシフトシーケンスを確定することに用いられる確定モジュールと、
前記ルートシーケンスとターゲットサイクリックシフトシーケンスに基づいて、対応する参照信号シーケンスを生成することに用いられる生成モジュールと、を更に備え、
前記送信モジュールは更に、
前記参照信号シーケンスを送信することに用いられることを特徴とする請求項45に記載の装置。
【請求項４７】
前記少なくとも1つのルートシーケンスの情報は複数のルートシーケンスの情報であり、前記少なくとも1つのサイクリックシフトシーケンスの情報は1つのサイクリックシフトシーケンスの情報であり、異なるルートシーケンスは異なる伝送回数に対応することを特徴とする請求項44に記載の装置。
【請求項４８】
前記アップリンクデータの伝送回数に基づいて、前記複数のルートシーケンスから対応のターゲットルートシーケンスを確定することに用いられる確定モジュールと、
前記ターゲットルートシーケンスとサイクリックシフトシーケンスに基づいて、対応する参照信号シーケンスを生成することに用いられる生成モジュールと、を更に備え、
前記送信モジュールは更に、
前記参照信号シーケンスを送信することに用いられることを特徴とする請求項47に記載の装置。
【請求項４９】
前記1つのアップリンクデータブロックの伝送の開始位置を指示するための情報は、複数のサービスセルが共有するものであり、或いは、1つのサービスセルに対するものであり、又は、
前記1つのアップリンクデータブロックの伝送の終了位置を指示するための情報は、複数のセルが共有するものであり、或いは、1つのセルに対するものであり、又は、
前記1つのアップリンクデータブロックの伝送の参照信号を設定するための情報は、複数のサービスセルが共有するものであり、或いは、1つのサービスセルに対するものであることを特徴とする請求項39〜48のいずれか1項に記載の装置。
【請求項５０】
前記1つのアップリンクデータの伝送の開始位置を指示するための情報は、複数の非動的リソース設定が共有するものであり、或いは、1つの非動的リソース設定に対するものであり、又は、
前記1つのアップリンクデータの伝送の終了位置を指示するための情報は、複数の非動的リソース設定が共有するものであり、或いは、1つの非動的リソース設定に対するものであり、又は、
前記1つのアップリンクデータブロックの伝送の参照信号を設定するための情報は、複数の非動的リソース設定が共有するものであり、或いは、1つの非動的リソース設定に対するものであることを特徴とする請求項39〜49のいずれか1項に記載の装置。
【請求項５１】
前記非動的スケジューリングは、動的スケジューリング以外の他のスケジューリング方式であることを特徴とする請求項40〜43のいずれか1項に記載の装置。
【請求項５２】
前記非動的スケジューリングは、半静的設定の伝送方式、半静的設定と動的トリガーの伝送方式を含むことを特徴とする請求項40〜43、51のいずれか1項に記載の装置。
【請求項５３】
プロセッサとメモリとを備え、前記メモリはコンピュータプログラムを記憶することに用いられ、前記プロセッサは前記メモリに記憶されるコンピュータプログラムを呼び出して実行し、請求項1〜12のいずれか1項に記載の方法を実行することに用いられることを特徴とするネットワーク装置。
【請求項５４】
チップであって、プロセッサを備え、前記プロセッサはメモリからコンピュータプログラムを呼び出して実行することに用いられ、それにより前記チップを搭載した装置が請求項1〜12のいずれか1項に記載の方法を実行することを特徴とするチップ。
【請求項５５】
コンピュータプログラムを記憶することに用いられ、前記コンピュータプログラムによりコンピュータは請求項1〜12のいずれか1項に記載の方法を実行することを特徴とするコンピュータ読み取り可能な記憶媒体。
【請求項５６】
コンピュータプログラム指令を備え、前記コンピュータプログラム指令によりコンピュータは請求項1〜12のいずれか1項に記載の方法を実行することを特徴とするコンピュータプログラム製品。
【請求項５７】
コンピュータに請求項1〜12のいずれか1項に記載の方法を実行させることを特徴とするコンピュータプログラム。
【請求項５８】
プロセッサとメモリとを備え、前記メモリはコンピュータプログラムを記憶することに用いられ、前記プロセッサは前記メモリに記憶されるコンピュータプログラムを呼び出して実行し、請求項13〜26のいずれか1項に記載の方法を実行することに用いられることを特徴とする端末装置。
【請求項５９】
チップであって、プロセッサを備え、前記プロセッサはメモリからコンピュータプログラムを呼び出して実行することに用いられ、それにより前記チップを搭載した装置が請求項13〜26のいずれか1項に記載の方法を実行することを特徴とするチップ。
【請求項６０】
コンピュータプログラムを記憶することに用いられ、前記コンピュータプログラムによりコンピュータは請求項13〜26のいずれか1項に記載の方法を実行することを特徴とするコンピュータ読み取り可能な記憶媒体。
【請求項６１】
コンピュータプログラム指令を備え、前記コンピュータプログラム指令によりコンピュータは請求項13〜26のいずれか1項に記載の方法を実行することを特徴とするコンピュータプログラム製品。
【請求項６２】
コンピュータに請求項13〜26のいずれか1項に記載の方法を実行させることを特徴とするコンピュータプログラム。
【請求項６３】
請求項27〜38のいずれか1項に記載のネットワーク装置と、
請求項39〜52のいずれか1項に記載の端末装置と、を備えることを特徴とする通信システム。
【発明の詳細な説明】
【技術分野】
【０００１】
本願は2017年11月10日に中国特許庁に提出され、出願番号がPCT/CN2017/110533で、出願名称が「データを伝送する方法及び装置」であるPCT特許出願の優先権を要求し、その全部の内容は引用によって本願に組み込まれる。
【０００２】
本願の実施例は通信分野に関し、より具体的に、データを伝送する方法及び装置に関する。
【背景技術】
【０００３】
5Gの新無線(New  Radio、NR)システムにおいて、信頼性が高くて遅延が低い（Ultra-Reliable  Low  Latency  Communication、URLLC）サービスが導入され、該サービスの特徴は、極端な遅延内（例えば1ms）で超高い信頼性(例えば99.999%)の伝送を実現できる。上記目的を達成するために、スケジューリングレス（Grant  free）という概念は提案された。Grant  freeのスケジューリング方式は、半静的設定（即ちType1方式）又は半静的設定と動的トリガー（即ちType2方式）を採用したリソース設定方式であり、端末装置はサービス需要に応じて半静的設定(Type1)又は半静的設定と動的トリガー(Type2)のリソースにおいてデータ伝送を行うことができるため、リソース要求（Schedule  Request、SR）とバッファ状態報告（Buffer  Status  Report、BSR）の開始過程を回避し、端末装置の有効な伝送時間を増やす。
【０００４】
しかし、Grant  freeのスケジューリング方式において、リソースは動的に占有されるため、ネットワーク装置のブラインドテストの複雑さが増す。場合によっては、リソースの動的な占有が制限されている(例えば、送信開始位置が限定される)ため、サービスがタイムリーに伝送されず、ユーザエクスペリエンスに影響を与えることがあり、従って、上記問題を解決する技術的手段が必要になる。
【発明の概要】
【発明が解決しようとする課題】
【０００５】
本願の実施例はデータを伝送する方法及び装置を提供し、データ伝送の柔軟性を高めることができる。
【課題を解決するための手段】
【０００６】
第1の態様において、データを伝送する方法を提供し、ネットワーク装置は端末装置に設定情報を送信し、前記設定情報は、1つのアップリンクデータブロックの伝送の開始位置を指示するための情報、1つのアップリンクデータブロックの伝送の終了位置を指示するための情報、1つのアップリンクデータブロックの伝送の参照信号を設定するための情報、のうちの少なくとも1つを含むことと、
前記ネットワーク装置は前記設定情報に基づいて、前記端末装置が送信したアップリンクデータブロックを受信することと、を含む。
【０００７】
第1の態様に関連して、第1の態様のいくつかの可能な実現形態において、前記1つのアップリンクデータブロックの伝送の開始位置を指示するための情報は、非動的リソースにおける任意の位置で前記1つのアップリンクデータブロックの初回の伝送が開始可能であるかどうかを指示することに用いられ、前記非動的リソースは非動的スケジューリング伝送のためのリソースである。
【０００８】
選択肢として、本願の実施例において、ネットワーク装置は非動的リソースにおいて伝送されるサービスの遅延需要に応じて、端末装置が非動的リソースにおける任意の位置又は特定の非動的リソースにおいてアップリンクデータブロックの初回の伝送を開始することができるように設定してもよく、異なるサービスの遅延要求を満たすのに有利であると同時に、ネットワーク装置のブラインドテストの複雑さを低減し、又はシステム容量の低下を回避することができる。例えば、遅延需要が高いサービスに対して、非動的リソースにおける任意の位置でアップリンクデータブロックの初回の伝送を開始できるように設定してもよく、アップリンクデータブロックのタイムリーな伝送を実現し、ユーザエクスペリエンスを向上させることができ、遅延需要が低いサービスに対して、特定の非動的リソースにおいてアップリンクデータブロックの初回の伝送を開始するように設定してもよく、開始位置の設定をサービスの遅延特性とより整合させることができるとともに、ネットワーク側のブラインドテストの複雑さを低減し、又はシステム容量の低下を回避することができる。
【０００９】
第1の態様に関連して、第1の態様のいくつかの可能な実現形態において、前記1つのアップリンクデータブロックの伝送の開始位置を指示するための情報は、非動的リソースにおいて1つのアップリンクデータブロックの初回の伝送が開始可能なリソース位置を指示することに用いられ、前記非動的リソースは非動的スケジューリング伝送のためのリソースである。
【００１０】
選択肢として、本願の実施例において、ネットワーク装置は非動的リソースにおいて伝送されるサービスの遅延需要に応じて、端末装置が全部の非動的リソース又は一部の非動的リソースにおいてアップリンクデータブロックの初回の伝送を開始することができるように設定してもよく、異なるサービスの遅延要求を満たすのに有利であると同時に、ネットワーク装置のブラインドテストの複雑さを低減し、又はシステム容量の低下を回避することができる。例えば、遅延需要が高いサービスに対して、非動的リソースにおける任意の位置でアップリンクデータブロックの初回の伝送を開始できるように設定してもよく、アップリンクデータブロックのタイムリーな伝送を実現し、ユーザエクスペリエンスを向上させることができ、遅延需要が低いサービスに対して、一部の非動的リソースにおいてアップリンクデータブロックの初回の伝送を開始するように設定してもよく、開始位置の設定をサービスの遅延特性とより整合させることができ、ネットワーク側のブラインドテストの複雑さを低減し、又はシステム容量の低下を回避することができる。同時に、アップリンクデータ伝送の柔軟性を高めることができる。
【００１１】
第1の態様に関連して、第1の態様のいくつかの可能な実現形態において、前記1つのアップリンクデータブロックの伝送の終了位置を指示するための情報は、非動的リソースにおいて1つのアップリンクデータブロックを送信するための終了位置を指示することに用いられ、前記非動的リソースは非動的スケジューリング伝送のためのリソースである。ある程度でサービスの伝送需要に合致することもできるし、間違ったデータ統合を回避し、又はネットワーク装置のブラインドテスト回数を減らすこともできる。
【００１２】
第1の態様に関連して、第1の態様のいくつかの可能な実現形態において、前記非動的リソースにおいて1つのアップリンクデータブロックを送信するための終了位置は、非動的リソースの周期内での最後の伝送機会である。
【００１３】
第1の態様に関連して、第1の態様のいくつかの可能な実現形態において、前記アップリンクデータブロックの参照信号の情報は、少なくとも1つのルートシーケンスの情報、及び少なくとも1つのサイクリックシフトシーケンスの情報を含む。
【００１４】
第1の態様に関連して、第1の態様のいくつかの可能な実現形態において、前記少なくとも1つのルートシーケンスの情報は1つのルートシーケンスの情報であり、前記少なくとも1つのサイクリックシフトシーケンスの情報は複数のサイクリックシフトシーケンスの情報であり、異なるサイクリックシフトシーケンスは異なる伝送回数に対応する。ネットワーク側は受信した参照信号によって現在のデータブロックの伝送回数を判定することができ、それによりネットワーク側はデータを復号化し、及び/又は複数回伝送されたデータを統合し、統合利得を得る。
【００１５】
第1の態様に関連して、第1の態様のいくつかの可能な実現形態において、前記少なくとも1つのルートシーケンスの情報は複数のルートシーケンスの情報であり、前記少なくとも1つのサイクリックシフトシーケンスの情報は1つのサイクリックシフトシーケンスの情報であり、異なるルートシーケンスは異なる伝送回数に対応する。ネットワーク側は受信した参照信号によって現在のデータブロックの伝送回数を判定することができ、それによりネットワーク側はデータを復号化し、及び/又は複数回伝送されたデータを統合し、統合利得を得る。
【００１６】
第1の態様に関連して、第1の態様のいくつかの可能な実現形態において、前記1つのアップリンクデータブロックの伝送の開始位置を指示するための情報は、複数のサービスセルが共有するものであり、或いは、1つのサービスセルに対するものであり、又は、
前記1つのアップリンクデータブロックの伝送の終了位置を指示するための情報は、複数のセルが共有するものであり、或いは、1つのセルに対するものであり、又は、
前記1つのアップリンクデータブロックの伝送の参照信号を設定するための情報は、複数のサービスセルが共有するものであり、或いは、1つのサービスセルに対するものである。
【００１７】
第1の態様に関連して、第1の態様のいくつかの可能な実現形態において、前記1つのアップリンクデータの伝送の開始位置を指示するための情報は、複数の非動的リソース設定が共有するものであり、或いは、1つの非動的リソース設定に対するものであり、又は、
前記1つのアップリンクデータの伝送の終了位置を指示するための情報は、複数の非動的リソース設定が共有するものであり、或いは、1つの非動的リソース設定に対するものであり、又は、
前記1つのアップリンクデータブロックの伝送の参照信号を設定するための情報は、複数の非動的リソース設定が共有するものであり、或いは、1つの非動的リソース設定に対するものである。
【００１８】
第1の態様に関連して、第1の態様のいくつかの可能な実現形態において、前記非動的スケジューリングは、動的スケジューリング以外の他のスケジューリング方式である。
【００１９】
第1の態様に関連して、第1の態様のいくつかの可能な実現形態において、前記非動的スケジューリングは、半静的設定の伝送方式、半静的設定と動的トリガーの伝送方式を含む。
【００２０】
第2の態様において、データを伝送する方法を提供し、端末装置はネットワーク装置が送信した設定情報を受信し、前記設定情報は、1つのアップリンクデータブロックの伝送の開始位置を指示するための情報、1つのアップリンクデータブロックの伝送の終了位置を指示するための情報、1つのアップリンクデータブロックの伝送の参照信号を設定するための情報、のうちの少なくとも1つを含むことと、前記端末装置は前記設定情報に基づいて、前記ネットワーク装置にアップリンクデータを送信することと、を含む。
【００２１】
第2の態様に関連して、第2の態様のいくつかの可能な実現形態において、前記1つのアップリンクデータブロックの伝送の開始位置を指示するための情報は、非動的リソースにおける任意の位置で前記1つのアップリンクデータブロックの初回の伝送が開始可能であるかどうかを指示することに用いられ、前記非動的リソースは非動的スケジューリング伝送のためのリソースである。
【００２２】
第2の態様に関連して、第2の態様のいくつかの可能な実現形態において、前記1つのアップリンクデータブロックの伝送の開始位置を指示するための情報は、非動的リソースにおいて1つのアップリンクデータブロックの初回の伝送が開始可能なリソース位置を指示することに用いられ、前記非動的リソースは非動的スケジューリング伝送のためのリソースである。
【００２３】
第2の態様に関連して、第2の態様のいくつかの可能な実現形態において、前記1つのアップリンクデータブロックの伝送の終了位置を指示するための情報は、非動的リソースにおいて1つのアップリンクデータブロックを送信するための終了位置を指示することに用いられ、前記非動的リソースは非動的スケジューリング伝送のためのリソースである。
【００２４】
第2の態様に関連して、第2の態様のいくつかの可能な実現形態において、前記非動的リソースにおいて1つのアップリンクデータブロックを送信するための終了位置は、非動的リソースの周期内での最後の伝送機会である。
【００２５】
第2の態様に関連して、第2の態様のいくつかの可能な実現形態において、前記アップリンクデータブロックの参照信号の情報は、少なくとも1つのルートシーケンスの情報、及び少なくとも1つのサイクリックシフトシーケンスの情報を含む。
【００２６】
第2の態様に関連して、第2の態様のいくつかの可能な実現形態において、前記少なくとも1つのルートシーケンスの情報は1つのルートシーケンスの情報であり、前記少なくとも1つのサイクリックシフトシーケンスの情報は複数のサイクリックシフトシーケンスの情報であり、異なるサイクリックシフトシーケンスは異なる伝送回数に対応する。
【００２７】
第2の態様に関連して、第2の態様のいくつかの可能な実現形態において、前記端末装置が前記設定情報に基づいて、前記ネットワーク装置にアップリンクデータを送信することは、
前記端末装置は前記アップリンクデータの伝送回数に基づいて、前記複数のサイクリックシフトシーケンスから対応のターゲットサイクリックシフトシーケンスを確定することと、
前記ルートシーケンスとターゲットサイクリックシフトシーケンスに基づいて、対応する参照信号シーケンスを生成することと、
前記端末装置は前記参照信号シーケンスを送信することと、を含む。
【００２８】
第2の態様に関連して、第2の態様のいくつかの可能な実現形態において、前記少なくとも1つのルートシーケンスの情報は複数のルートシーケンスの情報であり、前記少なくとも1つのサイクリックシフトシーケンスの情報は1つのサイクリックシフトシーケンスの情報であり、異なるルートシーケンスは異なる伝送回数に対応する。
【００２９】
第2の態様に関連して、第2の態様のいくつかの可能な実現形態において、前記端末装置が前記設定情報に基づいて、前記ネットワーク装置にアップリンクデータを送信することは、
前記端末装置は前記アップリンクデータの伝送回数に基づいて、前記複数のルートシーケンスから対応のターゲットルートシーケンスを確定することと、
前記ターゲットルートシーケンスとサイクリックシフトシーケンスに基づいて、対応する参照信号シーケンスを生成することと、
前記端末装置は前記参照信号シーケンスを送信することと、を含む。
【００３０】
第2の態様に関連して、第2の態様のいくつかの可能な実現形態において、前記1つのアップリンクデータブロックの伝送の開始位置を指示するための情報は、複数のサービスセルが共有するものであり、或いは、1つのサービスセルに対するものであり、又は、
前記1つのアップリンクデータブロックの伝送の終了位置を指示するための情報は、複数のセルが共有するものであり、或いは、1つのセルに対するものであり、又は、
前記1つのアップリンクデータブロックの伝送の参照信号を設定するための情報は、複数のサービスセルが共有するものであり、或いは、1つのサービスセルに対するものである。
【００３１】
第2の態様に関連して、第2の態様のいくつかの可能な実現形態において、前記1つのアップリンクデータの伝送の開始位置を指示するための情報は、複数の非動的リソース設定が共有するものであり、或いは、1つの非動的リソース設定に対するものであり、又は、
前記1つのアップリンクデータの伝送の終了位置を指示するための情報は、複数の非動的リソース設定が共有するものであり、或いは、1つの非動的リソース設定に対するものであり、又は、
前記1つのアップリンクデータブロックの伝送の参照信号を設定するための情報は、複数の非動的リソース設定が共有するものであり、或いは、1つの非動的リソース設定に対するものである。
【００３２】
第2の態様に関連して、第2の態様のいくつかの可能な実現形態において、前記非動的スケジューリングは、動的スケジューリング以外の他のスケジューリング方式である。
【００３３】
第2の態様に関連して、第2の態様のいくつかの可能な実現形態において、前記非動的スケジューリングは、半静的設定の伝送方式、半静的設定と動的トリガーの伝送方式を含む。
【００３４】
第3の態様において、データを伝送する装置を提供し、上記第1の態様又は第1の態様のいずれかの可能な実現形態における方法を実行することに用いられる。具体的に、該装置は、上記第1の態様又は第1の態様の任意可能な実現形態における方法を実行するためのユニットを備える。
【００３５】
第4の態様において、データを伝送する装置を提供し、該装置はメモリ、プロセッサ、入力インターフェース及び出力インターフェースを備える。その中、メモリ、プロセッサ、入力インターフェース及び出力インターフェースはバスシステムを介して接続されている。該メモリは指令を記憶することに用いられ、該プロセッサは該メモリに記憶される指令を実行することに用いられ、上記第1の態様又は第1の態様の任意可能な実現形態における方法を実行することに用いられる。
【００３６】
第5の態様において、データを伝送する装置を提供し、上記第2の態様又は第2の態様のいずれかの可能な実現形態における方法を実行することに用いられる。具体的に、該装置は、上記第2の態様又は第2の態様の任意可能な実現形態における方法を実行するためのユニットを備える。
【００３７】
第6の態様において、データを伝送する装置を提供し、該装置はメモリ、プロセッサ、入力インターフェース及び出力インターフェースを備える。その中、メモリ、プロセッサ、入力インターフェース及び出力インターフェースはバスシステムを介して接続されている。該メモリは指令を記憶することに用いられ、該プロセッサは該メモリに記憶される指令を実行することに用いられ、上記第2の態様又は第2の態様の任意可能な実現形態における方法を実行することに用いられる。
【００３８】
第7の態様において、コンピュータ記憶媒体を提供し、上記第1の態様又は第1の態様の任意可能な実現形態における方法を実行するために使用されるコンピュータソフトウェア指令を記憶することに用いられ、上記態様を実行するために設計されるプログラムを含む。
【００３９】
第8の態様において、コンピュータで実行するときに、上記第1の態様又は第1の態様の任意可能な実施形態における方法をコンピュータに実行させ、指令を含むコンピュータプログラム製品を提供する。
【００４０】
第9の態様において、コンピュータ記憶媒体を提供し、上記第2の態様又は第2の態様の任意可能な実現形態における方法を実行するために使用されるコンピュータソフトウェア指令を記憶することに用いられ、上記態様を実行するために設計されるプログラムを含む。
【００４１】
第10の態様において、コンピュータで実行するときに、上記第2の態様又は第2の態様の任意可能な実施形態における方法をコンピュータに実行させ、指令を含むコンピュータプログラム製品を提供する。
【図面の簡単な説明】
【００４２】
【図１】図1は本願の実施例の適用シーンの模式図を示す。
【図２】図2は本願の実施例によるデータを伝送する方法の模式的なフローチャートを示す。
【図３】図3は第1の指示情報の1つの指示方式の模式図を示す。
【図４】図4は第1の指示情報の1つの指示方式の模式図を示す。
【図５】図5は第1の指示情報の他の指示方式の模式図を示す。
【図６】図6は第1の指示情報の他の指示方式の模式図を示す。
【図７】図7は第2の指示情報の1つの指示方式の模式図を示す。
【図８】図8は設定情報の1つの指示方式の模式図を示す。
【図９】図9は本願の他の実施例によるデータを伝送する方法の模式的なフローチャートを示す。
【図１０】図10は本願の実施例によるデータを伝送する装置の模式的なブロック図を示す。
【図１１】図11は本願の他の実施例によるデータを伝送する装置の模式的なブロック図を示す。
【図１２】図12は本願の実施例によるデータを伝送する装置の模式的なブロック図を示す。
【図１３】図13は本願の他の実施例によるデータを伝送する装置の模式的なブロック図を示す。
【図１４】図14は本願の実施例によるチップの模式的なブロック図である。
【図１５】図15は本願の実施例による通信システムの模式的なブロック図である。
【発明を実施するための形態】
【００４３】
以下、図面を参照して、本願の実施例による技術的手段を説明する。
【００４４】
本願の実施例による技術的手段は、例えば、グローバル移動体通信（Global  System  of  Mobile  communication、「GSM」と略称）システム、符号分割多元接続(Code  Division  Multiple  Access、「CDMA」と略称)システム、広帯域符号分割多元接続(Wideband  Code  Division  Multiple  Access、「WCDMA」と略称)システム、汎用パケット無線サービス(General  Packet  Radio  Service、「GPRS」と略称)、ロングタームエボリューション(Long  Term  Evolution、「LTE」と略称)システム、LTE周波数分割複信（Frequency  Division  Duplex、「FDD」と略称）システム、LTE時分割複信（Time  Division  Duplex、「TDD」と略称）、汎用移動体通信システム（Universal  Mobile  Telecommunication  System、「UMTS」と略称）、マイクロ波利用アクセスに関する世界的な相互運用（Worldwide  Interoperability  for  Microwave  Access、「WiMAX」と略称）通信システムや将来の5Gシステム等である様々な通信システムに適用可能である。
【００４５】
図1は、本願の実施例に適用される無線通信システム100を示す。該無線通信システム100は、ネットワーク装置110を備えてもよく。ネットワーク装置100は、端末装置と通信する装置であってもよい。ネットワーク装置100は、特定の地理的領域に対して通信カバレッジを提供することができ、該カバレッジ領域内に位置する端末装置（例えばUE）と通信することができる。選択肢として、該ネットワーク装置100はGSMシステム又はCDMAシステムにおける基地局（Base  Transceiver  Station、BTS）であってもよく、WCDMAシステムにおける基地局（NodeB、NB）であってもよく、更にLTEシステムにおける進化型基地局（Evolutional  Node  B、eNB又はeNodeB）であってもよく、またクラウド無線アクセスネットワーク（Cloud  Radio  Access  Network、CRAN）における無線コントローラであってもよく、或いは、該ネットワーク装置は中継局、アクセスポイント、車載装置、ウェアラブルデバイス、将来の5Gネットワークにおけるネットワーク側装置又は将来進化する公衆地上移動通信ネットワーク（Public  Land  Mobile  Network、PLMN）におけるネットワーク装置等であってもよい。
【００４６】
該無線通信システム100は、ネットワーク装置110のカバレッジ範囲内に位置する少なくとも1つの端末装置120を更に備える。端末装置120は、移動式であっても固定式であってもよい。選択肢として、端末装置120とは、アクセス端末、ユーザ装置（User  Equipment、UE）、ユーザユニット、ユーザ局、移動基地局、移動局、遠方局、遠隔端末、移動装置、ユーザ端末、端末、無線通信装置、ユーザエージェント又はユーザデバイスを指してもよい。アクセス端末は、セルラー電話、コードレス電話、セッション開始プロトコル(Session  Initiation  Protocol、SIP)電話、ワイヤレスローカルループ(Wireless  Local  Loop、WLL)局、パーソナルデジタルアシスタント（Personal  Digital  Assistant、PDA）、無線通信機能を備えるハンドヘルド装置、計算装置又は無線モデムに接続される他の処理装置、車載装置、ウェアラブルデバイス、将来の5Gネットワークにおける端末装置又は将来進化するPLMNにおける端末装置等であってもよい。
【００４７】
本願の実施例において、Grant  freeの設定方式はType1とType2の2つのタイプを含んでもよく、Type1タイプは、無線リソース制御（Radio  Resource  Control、RRC）シグナリングを用いてGrant  freeリソース(又は非動的リソースとも呼ばれる)を設定し、該Grant  freeリソースは時間周波数領域リソース、参照信号情報、変調符号化方式及び電力制御パラメータ等の情報を含んでもよい。Type2タイプは、上位層シグナリング(半静的設定)と物理層シグナリングの組合わせる設定方式でGrant  freeを設定し、RRCシグナリング設定は時間領域リソース周期と電力制御パラメータを含み、該物理層シグナリング設定は周波数領域リソース、参照信号情報、変調符号化方式及び電力制御パラメータ等の情報を含む。
【００４８】
図2は、本願の実施例によるデータを伝送する方法200の模式的なフローチャートであり、該方法200は図1に示す通信システム100におけるネットワーク装置によって実行されてもよく、図2に示すように、該方法200は下記S210〜S220を含んでもよい。
【００４９】
S210、ネットワーク装置は端末装置に設定情報を送信し、前記設定情報は、
1つのアップリンクデータブロックの伝送の開始位置を指示するための情報、1つのアップリンクデータブロックの伝送の終了位置を指示するための情報、1つのアップリンクデータブロックの伝送の参照信号を設定するための情報、のうちの少なくとも1つを含む。
【００５０】
S220、前記ネットワーク装置は前記設定情報に基づいて、前記端末装置が送信したアップリンクデータブロックを受信する。
【００５１】
なお、本願の実施例における前記設定情報は、非動的リソース(即ちGrant  freeリソース)専用の設定情報であり、又は、前記設定情報は非動的リソースの設定に用いられ、ここで、非動的リソースは、非動的スケジューリング伝送に用いるリソースであり、前記非動的スケジューリングは動的スケジューリング(例えば、物理層シグナリングでスケジューリングする)以外の他のスケジューリング方式、例えば、半静的に設定された伝送方式(例えば、Type1タイプの伝送方式)、又は半静的設定と動的トリガーの伝送方式(例えば、Type2タイプの伝送方式)である。
【００５２】
なお、本願の実施例において、上記非動的リソースは非動的スケジューリング伝送に用いられる時間領域リソース、周波数領域リソース又はコードドメインリソース等であってもよく、同様に、前記1つのアップリンクデータブロックの伝送の開始位置とは、非動的リソースにおける時間領域リソースの開始位置(即ち開始時間領域位置)を指してもよく、又は非動的リソースにおける周波数領域リソース又はコードドメインリソースの開始位置を指してもよい。前記1つのアップリンクデータブロックの伝送の終了位置とは、非動的リソースにおける時間領域リソースの終了位置(即ち終了時間領域位置)を指してもよく、又は非動的リソースにおける周波数領域リソース又はコードドメインリソースの終了位置を指してもよいが、本願の実施例はこれを具体的に限定するものではなく、本願の実施例は主に開始位置と終了位置がそれぞれ開始時間領域位置と終了時間領域位置を例として説明しており、本願の実施例の教示により得られた周波数領域リソース又はコードドメインリソースにおいてアップリンク伝送の開始位置又は終了位置を指示する関連技術的手段は、いずれも本願の実施例の保護範囲に含まれる。
【００５３】
理解できるように、Grant  freeリソースは周期的であってもよく、例えば、各周期内のGrant  freeリソースは複数の連続した時間領域リソースであってもよく、複数の連続しない時間領域リソースであってもよく、又は、各周期内において、端末装置が1回の伝送機会しか有しないと考えてもよく、端末装置は各周期内のGrant  freeリソースにおいてアップリンク伝送を行うことができる。或いは、Grant  freeリソースは非周期的であってもよいが、本願の実施例はこれを具体的に限定するものではない。
【００５４】
以下、実施例1〜実施例3を参照して、本願の実施例によるデータを伝送する方法を詳細に説明する。
【００５５】
実施例1において、前記1つのアップリンクデータブロックの伝送の開始位置を指示するための情報は、非動的リソースにおける任意の位置で前記1つのアップリンクデータブロックの初回の伝送が開始可能であるかどうかを指示することに用いられてもよい。
【００５６】
例えば、Grant  freeリソースは遅延が敏感でないサービス(例えば、ネットワークプロトコルに基づく音声（Voice  over  Internet  Protocol、VoIP）サービス、又は周期的なサービス)、即ち遅延への要求が低いサービスの伝送に用いられる場合、ネットワーク装置は、端末装置が特定のGrant  freeリソースにおいてアップリンクデータブロックの初回の伝送を開始するように設定することができ、ここで、特定のGrant  freeリソースはプロトコルで約束したものであってもよく、ネットワーク装置が前記端末装置に対して予め設定したものであってもよい。この場合、前記1つのアップリンクデータブロックの伝送の開始位置を指示するための情報は、非動的リソースにおける任意の位置で前記1つのアップリンクデータブロックの初回の伝送が開始不能であることを指示することに用いられてもよく、このように、前記端末装置は特定のGrant  freeリソースのみでアップリンクデータの初回の伝送を開始することができる。
【００５７】
更に、Grant  freeリソースは遅延が敏感なサービス、即ち遅延への要求が比較的高いサービスの伝送に用いられる場合、ネットワーク装置は、端末装置がGrant  freeリソースの任意の位置でアップリンクデータブロックの初回の伝送を開始できるように設定してもよく、それにより前記端末装置はアップリンクデータブロックの伝送をタイムリーに行うことができ、非動的なリソースの使用が制限される(例えば、リソースの開始送信位置を限定する)ことを避けることができる。この場合、前記1つのアップリンクデータブロックの伝送の開始位置を指示するための情報は、非動的リソースにおける任意の位置で前記1つのアップリンクデータブロックの初回の伝送が開始可能であることを指示することに用いられてもよい。
【００５８】
従って、本願の実施例のデータを伝送する方法によれば、ネットワーク装置は非動的リソースにおいて伝送されるサービスの遅延需要に応じて、端末装置が非動的リソースにおける任意の位置又は特定の非動的リソースにおいてアップリンクデータブロックの初回の伝送を開始することができるように設定することができ、異なるサービスの遅延要求を満たすのに有利であると同時に、ネットワーク装置のブラインドテストの複雑さを低減し、又はシステム容量の低下を回避することができる。例えば、遅延需要が高いサービスに対して、非動的リソースにおける任意の位置でアップリンクデータブロックの初回の伝送を開始できるように設定してもよく、アップリンクデータブロックのタイムリーな伝送を実現し、ユーザエクスペリエンスを向上させることができ、遅延需要が低いサービスに対して、特定の非動的リソースにおいてアップリンクデータブロックの初回の伝送を開始するように設定してもよく、開始位置の設定をサービスの遅延特性とより整合させることができると同時に、アップリンクデータ伝送の柔軟性を高めることができる。
【００５９】
区別と説明を容易にするために、本願の実施例において、前記1つのアップリンクデータブロックの伝送の開始位置を指示するための情報は、第1の指示情報と記され、即ち前記第1の指示情報は1つのアップリンクデータブロックの伝送の開始位置を指示するための情報を指示することができる。選択肢として、実施例1において、前記第1の指示情報は1ビットであってもよく、例えば、第1の指示情報が0である場合、非動的リソースにおける任意の位置で前記1つのアップリンクデータブロックの初回の伝送が開始不能であることを示し、第1の指示情報が1である場合、非動的リソースにおける任意の位置で前記1つのアップリンクデータブロックの初回の伝送が開始可能であることを示すように設定してもよく、逆に指示してもよいが、本願の実施例はこれに限定するものではない。
【００６０】
対応的に、端末装置は、ネットワーク装置が設定した、1つのアップリンクデータブロックの伝送の開始位置を指示するための情報に基づいて、アップリンクデータブロックの初回の伝送を開始することができ、該アップリンクデータブロックの再送が必要な場合、前記端末装置は動的に設定された又は予め設定されたリソースパターンに基づいて、後続のデータ伝送を行うことができ、或いは、連続するリソースを使用して後続の伝送を行うこともでき、即ち、初回の伝送に続くリソースを使用して後続の伝送を行い、ここでの連続は、好ましくは時間領域連続である。
【００６１】
理解できるように、端末装置がアップリンク伝送を行うのは、サービス需要がある場合に行うことであり、即ち、端末装置はサービス需要がある場合のみに、上記設定情報に基づいてアップリンク伝送を行う。
【００６２】
以下、図3と図4に示す具体例を参照して、前記第1の指示情報の指示方式を説明する。
【００６３】
図3に示すように、第1の指示情報は、非動的リソースの任意の位置で前記1つのアップリンクデータブロックの初回の伝送が開始不能であることを指示することに用いられ、このとき、前記第1の指示情報は0であってもよく、すなわち、前記第1の指示情報が0である場合、非動的リソースの任意の位置で前記1つのアップリンクデータブロックの初回の伝送が開始不能であることを示すように設定してもよい。この場合、前記端末装置は、特定のGrant  freeリソースにおいてアップリンクデータブロックの初回の伝送を開始することができ、該特定のGrant  freeリソースは一部のGrant  freeリソースであり、例えば、1つの周期内のGrant  freeリソースは4つの伝送時間間隔（Transmission  Time  Interval、TTI）、即ちTTI0、TTI1、TTI4及びTTI5を含んでもよく、特定のGrant  freeリソースは例えば3aにおける陰影部分で示されるTTI0とTTI4を含んでもよく、このように、1回の伝送機会(即ち1つのGrant  freeリソース周期内)において、端末装置はTTI0又はTTI4においてアップリンクデータブロックの初回の伝送を開始することができるが、TTI1とTTI5においてアップリンクデータブロックの初回の伝送を開始することができない。
【００６４】
図4に示すように、第1の指示情報は、非動的リソースの任意の位置で前記1つのアップリンクデータブロックの初回の伝送が開始可能であることを指示することに用いられ、このとき、前記第1の指示情報は1であってもよく、すなわち、前記第1の指示情報が0である場合、非動的リソースの任意の位置で前記1つのアップリンクデータブロックの初回の伝送が開始不能であることを示すように設定してもよい。図3と、図4において、1つの周期内のGrant  freeリソースはTTI0、TTI1、TTI4及びTTI5を含んでもよく、この場合、前記端末装置は上記リソースにおける任意の位置でアップリンクデータブロックの初回の伝送を開始することができる。
【００６５】
実施例2
前記1つのアップリンクデータブロックの伝送の開始位置を指示するための情報は、非動的リソースにおいて1つのアップリンクデータブロックの初回の伝送が開始可能なリソース位置を指示することに用いられ、前記非動的リソースは非動的スケジューリング伝送のためのリソースである。
【００６６】
実施例1と違って、実施例2において、前記1つのアップリンクデータブロックの伝送の開始位置を指示するための情報は、アップリンクデータブロックの初回の伝送を開始できるリソースの位置を直接に指示することができる。好ましくは、アップリンクデータブロックの初回の伝送に用いられるリソースの位置は、ビットマップ（bitmap）方式を採用してもよい。
【００６７】
例えば、Grant  freeリソースは遅延が敏感でないサービス、即ち遅延への要求が低いサービスの伝送に用いられる場合、ネットワーク装置は、端末装置が一部のGrant  freeリソースにおいてアップリンクデータブロックの初回の伝送を開始するように設定することができ、即ち、前記1つのアップリンクデータブロックの伝送の開始位置を指示するための情報は、非動的リソースにおける一部のリソースを指示することに用いられてもよく、ここで、一部のGrant  freeリソースはGrant  freeリソース周期内の初回の伝送に用いられてもよい。この場合、前記端末装置は、非動的リソースにおける任意の位置で前記1つのアップリンクデータブロックの初回の伝送を開始することができなく、一部のGrant  freeリソースのみでアップリンクデータの初回の伝送を開始することができる。
【００６８】
更に、Grant  freeリソースは遅延が敏感なサービス、即ち遅延への要求が比較的高いサービスの伝送に用いられる場合、前記1つのアップリンクデータブロックの伝送の開始位置を指示するための情報は、非動的リソースにおける全部のリソースを指示することに用いられてもよく、前記端末装置はGrant  freeリソースの任意の位置でアップリンクデータブロックの初回の伝送を開始することができ、それにより前記端末装置は遅延が敏感なサービスを伝送する必要がある場合、アップリンクデータブロックの伝送をタイムリーに行うことができ、非動的なリソースの使用が制限される(例えば、リソースの開始送信位置を限定する)ことによる伝送遅延を避けることができる。
【００６９】
従って、本願の実施例のデータを伝送する方法によれば、ネットワーク装置は非動的リソースにおいて伝送されるサービスの遅延需要に応じて、端末装置が全部の非動的リソース又は一部の非動的リソースにおいてアップリンクデータブロックの初回の伝送を開始することができるように設定することができ、異なるサービスの遅延要求を満たすのに有利であると同時に、ネットワーク装置のブラインドテストの複雑さを低減し、又はシステム容量の低下を回避することができる。例えば、遅延需要が高いサービスに対して、非動的リソースにおける任意の位置でアップリンクデータブロックの初回の伝送を開始できるように設定してもよく、アップリンクデータブロックのタイムリーな伝送を実現し、ユーザエクスペリエンスを向上させることができ、遅延需要が低いサービスに対して、一部の非動的リソースにおいてアップリンクデータブロックの初回の伝送を開始するように設定してもよく、開始位置の設定をサービスの遅延特性とより整合させることができると同時に、アップリンクデータ伝送の柔軟性を高めることができる。
【００７０】
以下、図5と図6に示す具体例を参照して、前記第1の指示情報の指示方式を説明する。
【００７１】
図5及び図6に示すように、前記1つのアップリンクデータブロックの伝送の開始位置を指示するための情報、即ち第1の指示情報が指示するリソース位置は、bitmap方式を用いて指示されてもよい。例えば、1つの周期内のGrant  freeリソースはTTI0、TTI1、TTI4及びTTI5を含んでもよく、従って、第1の指示情報は4ビットであり、TTI0、TTI1、TTI4及びTTI5がアップリンクデータブロックの初回の伝送に用いられることができるかどうかをそれぞれ指示してもよい。例えば、図5において、第1の指示情報は1010であってもよく、これにより、前記端末装置はTTI0又はTTI4においてアップリンクデータブロックの初回の伝送を開始するが、TTI1及びTTI5においてアップリンクデータブロックの初回の伝送を開始することができない。図6において、第1の指示情報は1111であってもよく、これにより、前記端末装置はTTI0、TTI1、TTI4及びTTI5における任意の位置でアップリンクデータブロックの初回の伝送を開始する。
【００７２】
実施例3
前記1つのアップリンクデータブロックの伝送の終了位置を指示するための情報は、非動的リソースにおいて1つのアップリンクデータブロックを送信するための終了位置を指示することに用いられる。
【００７３】
該実施例3において、前記ネットワーク装置は1つのアップリンクデータブロックの伝送の終了位置を指示するための情報を設定してもよいが、理解できるように、該実施例において、前記ネットワーク装置が1つのアップリンクデータブロックの伝送の開始位置を設定するかどうかについては、本願の実施例において特に限定せず、すなわち、本願の実施例において、前記ネットワーク装置は1つのアップリンクデータブロックの伝送の開始位置のみを設定してもよく、或いは、1つのアップリンクデータブロックの伝送の終了位置のみを設定してもよく、或いは、1つのアップリンクデータブロックの伝送の開始位置と1つのアップリンクデータブロックの伝送の終了位置の両方を設定してもよい。
【００７４】
区別と説明を容易にするために、前記1つのアップリンクデータブロックの伝送の終了位置を指示するための情報は、第2の指示情報と記され、即ち第2の指示情報は1つのアップリンクデータブロックの伝送の終了位置を指示することに用いられてもよい。
【００７５】
実施例1と類似するように、前記1つのアップリンクデータブロックの伝送の終了位置を指示するための情報、即ち第2の指示情報は、前記1つのアップリンクデータブロックの伝送の終了位置が非動的リソースにおける任意の位置であるかどうかを指示することに用いられてもよい。例えば、前記第2の指示情報は1ビットであってもよく、該第2の指示情報が1である場合、1つのアップリンクデータブロックの伝送の終了位置が非動的リソースの任意の位置であってもよいことを示し、第2の指示情報が0である場合、1つのアップリンクデータブロックの伝送の終了位置が非動的リソースの任意の位置であってはならないことを示すように設定してもよく、この場合、該アップリンクデータの伝送の終了位置はプロトコルで約束された特定の位置、例えば、Grant  freeリソースの1つの周期内の最後のTTI、又はネットワーク装置が予め設定した特定の位置であってもよい。具体的な実現過程については、実施例1における関連説明を参照することができるので、説明を簡略化するために、ここでは繰り返して説明しない。
【００７６】
実施例2と類似するように、前記1つのアップリンクデータブロックの伝送の終了位置を指示するための情報、即ち第2の指示情報は、前記1つのアップリンクデータブロックの伝送の終了位置を直接に指示することに用いられてもよく、好ましくは、前記第2の指示情報はbitmap方式を採用して、1つのGrant  freeリソース周期内でどの位置が、1つのアップリンクデータブロックの伝送の終了位置であるかを標識することに用いられてもよい。1つの選択的な実施例として、前記非動的リソースにおいて1つのアップリンクデータブロックを送信するための終了位置は、非動的リソースの周期内での最後の伝送機会であり、具体的な実現過程については実施例2における関連説明を参照することができるので、説明を簡略化するために、ここでは繰り返して説明しない。
【００７７】
以下、図7に示す具体例を参照して、前記第2の指示情報の指示方式を詳細に説明する。
【００７８】
例えば、ネットワーク装置は、端末装置が1回の伝送機会で4つのTTIを占有し、2回の伝送機会の伝送間隔が7つのTTIであるように設定し、即ち、Grant  freeリソースの周期は7つのTTIであり、各周期内のGrant  freeリソースは4つのTTIを占有する。図7に示すように、1つの周期内のGrant  freeリソースはTTI0〜TTI3の合計4つのTTIを占有し、該実施例3において、ネットワーク装置は、アップリンクデータブロックの伝送の終了位置、例えば、各Grant  freeリソース周期内の最後の伝送機会、例えばTTI3又はTTI10等を設定することができ、この場合、前記第2の指示情報は0001であり、TTI(7*n+3)がアップリンクデータの伝送の終了位置であることを指示することに用いられてもよく、nは負でない整数であり、TTI(7*n+3)はTTI3、TTI10等であってもよく、又は、第2の指示情報は0であり、アップリンクデータの伝送の終了位置が特定の位置であることを指示してもよい(ここでの特定の位置は、1つのGrant  freeリソース周期内の最後のTTIであってもよい)。該実施例において、アップリンクデータブロックの伝送の開始位置は限定されず、TTI0であってもよく、又はTTI1等であってもよい。
【００７９】
端末装置がTTI5にあるときに伝送待ちデータ要があり、TTI5に最も近い利用可能な伝送リソースがTTI7である場合、選択肢として、前記端末装置はTTI7、TTTI8、TTI9及びTTI10においてデータを伝送することができ、又は、端末装置がTTI8にあるときに伝送待ちデータがある場合、前記端末装置はTTTI8、TTI9及びTTI10においてデータを伝送することができる。
【００８０】
なお、本願の実施例において、アップリンクデータブロックの伝送の終了位置の前で、前の終了位置の後に伝送するデータブロックは同一のデータブロックであり、即ちTTT0〜TTI3において、終了位置がTTI3であり、TTI0において伝送されるのは伝送ブロック（Transmission  Block、TB）1である場合、TTI0〜TTI3において伝送されるデータブロックはいずれもTB1であり、即ち、TTI3はTB1を伝送する終了位置であり、TTI3より前、例えばTTI2の場合に、TB1の伝送が成功しても、TTI3は他のTBを伝送せず、このように、ネットワーク装置は、TTI3より前に受信したデータブロックをマージ処理することができる。同様に、次の伝送機会(次のGrant  freeリソース周期、例えば、TTI7〜TTI10)では、いずれもTB2を伝送することに用いることができ、終了位置(例えば、TTI10)の前に、ネットワーク装置は受信したTB2をマージ処理することができる。
【００８１】
選択肢として、いくつかの実施例において、各Grant  free周期には1つの伝送リソースが含まれてもよい。例えば、図8に示すように、ネットワーク装置は、端末装置が1回の伝送機会で1つのTTIを占有し、2回の伝送機会の伝送間隔が5つのTTIであるように設定し、即ち、Grant  freeリソースの周期が5つのTTIであり、各周期内のGrant  freeリソースが1つのTTIを占有し、第1の指示情報はGrant  freeリソースの任意の位置でアップリンクデータブロックの初回の伝送を送信できることを指示すれば、前記端末装置は各Grant  free周期の1つの伝送リソースにおいてアップリンク伝送を行うことができ、例えば、前記端末装置はTTI(5n)においてアップリンク伝送を行うことができ、nは負でない整数であり、又は、前記第1の指示情報はGrant  freeリソースの任意の位置でアップリンクデータブロックの初回の伝送を送信できないことを指示すれば、前記端末装置は特定のGrant  freeリソースにおいてアップリンクデータブロックの初回の伝送を開始することができ、該特定のGrant  freeリソースはプロトコルで約束したものであってもよく、ネットワーク装置が予め設定したものであってもよく、例えば、該特定のGrant  freeリソースはTTI(10n)であってもよく、ここで、nは負でない整数である。類似的に、アップリンクデータブロックの伝送の終了位置についてもそうであり、簡明のために、ここで繰り返して説明しない。
【００８２】
実施例3
前記アップリンクデータブロックの参照信号の情報は、少なくとも1つのルートシーケンスの情報、及び少なくとも1つのサイクリックシフトシーケンスの情報を含む。
【００８３】
場合1
前記少なくとも1つのルートシーケンスの情報は1つのルートシーケンスの情報であり、前記少なくとも1つのサイクリックシフトシーケンスの情報は複数のサイクリックシフトシーケンスの情報であり、異なるサイクリックシフトシーケンスは異なる伝送回数に対応する。
【００８４】
この場合、前記端末装置は、アップリンクデータブロックの伝送回数iに基づいて、該伝送回数iに対応するサイクリックシフトシーケンスを確定し、それからルートシーケンスと該サイクリックシフトシーケンスに基づいて、対応する参照信号シーケンスを生成し、それにより該参照信号シーケンスに基づいて、該アップリンクデータブロックのi回目の伝送を行うことができる。
【００８５】
該実施例において、ネットワーク装置は異なる端末装置に対して異なるサイクリックシフトシーケンスのセット(上記の複数のサイクリックシフトシーケンスに対応する)を設定することができ、異なる端末装置のサイクリックシフトシーケンスのセットの間で直交を維持するように設定することによって、ユーザ間の干渉を回避することができ、ネットワーク装置は参照信号のサイクリックシフトシーケンスを検出することによって、アップリンクデータブロックの伝送回数を識別することができる。
【００８６】
場合2
前記少なくとも1つのルートシーケンスの情報は複数のルートシーケンスの情報であり、前記少なくとも1つのサイクリックシフトシーケンスの情報は1つのサイクリックシフトシーケンスの情報であり、異なるルートシーケンスは異なる伝送回数に対応する。
【００８７】
この場合、前記端末装置は、アップリンクデータブロックの伝送回数iに基づいて、該伝送回数iに対応するルートシーケンスを確定し、それから該ルートシーケンスとサイクリックシフトシーケンスに基づいて、参照信号シーケンスを生成し、それにより該参照信号シーケンスに基づいて、該アップリンクデータブロックのi回目の伝送を行うことができる。
【００８８】
該実施例において、ネットワーク装置は異なる端末装置に対して異なるルートシーケンスのセット(上記の複数のルートシーケンスに対応する)を設定することができ、異なる端末装置のルートシーケンスのセットの間の関連性が低いため、ユーザ間の干渉を回避することができ、ネットワーク装置は参照信号のルートシーケンスを検出することによって、アップリンクデータブロックの伝送回数を識別することができる。
【００８９】
なお、上記一部又は全部のシーケンス(ルートシーケンスとサイクリックシフトシーケンス)情報は、データ伝送過程において変わらなく、又は、上記一部又は全部のシーケンス情報は特定の時刻に対するシーケンス情報であり、他の時刻では、他の規則に基づいてルートシーケンスとサイクリックシフトシーケンス情報を取得することができ、本願の実施例は限定しない。
【００９０】
例えば、TTI0時刻で、1回目〜4回目の伝送に対応するサイクリックシフトシーケンスは[0，1，2，3]であり、参照信号の周波数変調規則に基づいて、CSj=CS(j-1)+offsetであり、offset=2であり、ここで、CSjは参照信号jを示し、offsetは隣接する2つの参照信号の間のオフセットを示し、それにより、TTI1時刻で、1回目〜4回目の伝送に対応するサイクリックシフトシーケンスが[2，3，4，5]であり、TTI2時刻で、1回目〜4回目の伝送に対応するサイクリックシフトシーケンスが[4,5,6,7]であり、TTI3時刻で、1回目〜4回目の伝送に対応するサイクリックシフトシーケンスが[6,7,8,9]であることを確定することができる。
【００９１】
選択肢として、いくつかの実施例において、前記1つのアップリンクデータブロックの伝送の開始位置を指示するための情報は、複数のサービスセル（serving  cell）が共有するものであり、或いは、1つのサービスセルに対するものであり、又は、前記1つのアップリンクデータブロックの伝送の終了位置を指示するための情報は、複数のセルが共有するものであり、或いは、1つのセルに対するものであり、又は、前記1つのアップリンクデータブロックの伝送の参照信号を設定するための情報は、複数のサービスセルが共有するものであり、或いは、1つのサービスセルに対するものである。
【００９２】
すなわち、ネットワーク装置は複数のserving  cellに対して同じ第1の指示情報を設定してもよく、即ち、複数のserving  cellに対して同じアップリンクデータブロックの伝送の開始位置を設定し、又は、ネットワーク装置は各serving  cellに対して独立して対応の第1の指示情報を設定してもよい。換言すれば、前記ネットワーク装置は複数のserving  cellに対して同一の第1の指示情報を統一的に設定してもよく、或いは、前記複数のserving  cellにおける各serving  cellに対して独立して対応の第1の指示情報を設定してもよい。類似的に、前記1つのアップリンクデータブロックの伝送の終了位置を指示するための情報、及び前記1つのアップリンクデータブロックの伝送の参照信号を設定するための情報についてもそうであり、簡明のために、ここで繰り返して説明しない。
【００９３】
選択肢として、いくつかの実施例において、前記1つのアップリンクデータの伝送の開始位置を指示するための情報は、複数の非動的リソース設定が共有するものであり、或いは、1つの非動的リソース設定に対するものであり、又は、
前記1つのアップリンクデータの伝送の終了位置を指示するための情報は、複数の非動的リソース設定が共有するものであり、或いは、1つの非動的リソース設定に対するものであり、又は、
前記1つのアップリンクデータブロックの伝送の参照信号を設定するための情報は、複数の非動的リソース設定が共有するものであり、或いは、1つの非動的リソース設定に対するものである。
【００９４】
具体的に、各serving  cellには複数の非動的リソースが設定されている場合、ネットワーク装置は複数の非動的リソースが同じ第1の指示情報に対応するように設定することができ、即ち、端末装置は前記複数の非動的リソースにおいてアップリンク伝送を行うことができ、同一の開始位置を採用することができる。或いは、ネットワーク装置は、複数の非動的リソースにおける各非動的リソースが相応の第1の指示情報に対応するように設定することができ、即ち、端末装置はある非動的リソースにおいてアップリンク伝送を行うことができ、該非動的リソースに対応する開始位置を採用することができる。換言すれば、前記ネットワーク装置は複数の非動的リソースに対して同一の第1の指示情報を統一的に設定してもよく、或いは、前記複数の非動的リソースにおける各非動的リソースに対して独立して対応の第1の指示情報を設定してもよい。類似的に、前記1つのアップリンクデータブロックの伝送の終了位置を指示するための情報、及び前記1つのアップリンクデータブロックの伝送の参照信号を設定するための情報についてもそうであり、簡明のために、ここで繰り返して説明しない。
【００９５】
以上では図2〜図8を参照して、ネットワーク装置の角度から本願の実施例によるデータを伝送する方法を詳細に説明したが、以下では図9を参照して、端末装置の角度から本願の他の実施例によるデータを伝送する方法を詳細に説明する。理解できるように、端末装置側の説明とネットワーク装置側の説明は互いに対応しており、類似の説明は前述した説明を参照することができ、重複を避けるために、ここで繰り返して説明しない。
【００９６】
図9は、本願の他の実施例によるデータを伝送する方法300の模式的なフローチャートであり、該方法300は図1に示す通信システムにおける端末装置によって実行されてもよく、図9に示すように、該方法300は下記S310〜S320を含む。
【００９７】
S310、端末装置はネットワーク装置が送信した設定情報を受信し、前記設定情報は、
1つのアップリンクデータブロックの伝送の開始位置を指示するための情報、1つのアップリンクデータブロックの伝送の終了位置を指示するための情報、1つのアップリンクデータブロックの伝送の参照信号を設定するための情報、のうちの少なくとも1つを含む。
【００９８】
S320、前記端末装置は前記設定情報に基づいて、前記ネットワーク装置にアップリンクデータを送信する。
【００９９】
選択肢として、いくつかの実施例において、前記1つのアップリンクデータブロックの伝送の開始位置を指示するための情報は、非動的リソースにおける任意の位置で前記1つのアップリンクデータブロックの初回の伝送が開始可能であるかどうかを指示することに用いられ、前記非動的リソースは非動的スケジューリング伝送のためのリソースである。
【０１００】
選択肢として、いくつかの実施例において、前記1つのアップリンクデータブロックの伝送の開始位置を指示するための情報は、非動的リソースにおいて1つのアップリンクデータブロックの初回の伝送が開始可能なリソース位置を指示することに用いられ、前記非動的リソースは非動的スケジューリング伝送のためのリソースである。
【０１０１】
選択肢として、いくつかの実施例において、前記1つのアップリンクデータブロックの伝送の終了位置を指示するための情報は、非動的リソースにおいて1つのアップリンクデータブロックを送信するための終了位置を指示することに用いられ、前記非動的リソースは非動的スケジューリング伝送のためのリソースである。
【０１０２】
選択肢として、いくつかの実施例において、前記非動的リソースにおいて1つのアップリンクデータブロックを送信するための終了位置は、非動的リソースの周期内での最後の伝送機会である。
【０１０３】
選択肢として、いくつかの実施例において、前記アップリンクデータブロックの参照信号の情報は、少なくとも1つのルートシーケンスの情報、及び少なくとも1つのサイクリックシフトシーケンスの情報を含む。
【０１０４】
選択肢として、いくつかの実施例において、前記少なくとも1つのルートシーケンスの情報は1つのルートシーケンスの情報であり、前記少なくとも1つのサイクリックシフトシーケンスの情報は複数のサイクリックシフトシーケンスの情報であり、異なるサイクリックシフトシーケンスは異なる伝送回数に対応する。
【０１０５】
選択肢として、いくつかの実施例において、前記端末装置が前記設定情報に基づいて、前記ネットワーク装置にアップリンクデータを送信することは、
前記端末装置は前記アップリンクデータの伝送回数に基づいて、前記複数のサイクリックシフトシーケンスから対応のターゲットサイクリックシフトシーケンスを確定することと、
前記ルートシーケンスとターゲットサイクリックシフトシーケンスに基づいて、対応する参照信号シーケンスを生成することと、
前記端末装置は前記参照信号シーケンスを送信することと、を含む。
【０１０６】
選択肢として、いくつかの実施例において、前記少なくとも1つのルートシーケンスの情報は複数のルートシーケンスの情報であり、前記少なくとも1つのサイクリックシフトシーケンスの情報は1つのサイクリックシフトシーケンスの情報であり、異なるルートシーケンスは異なる伝送回数に対応する。
【０１０７】
選択肢として、いくつかの実施例において、前記端末装置が前記設定情報に基づいて、前記ネットワーク装置にアップリンクデータを送信することは、
前記端末装置は前記アップリンクデータの伝送回数に基づいて、前記複数のルートシーケンスから対応のターゲットルートシーケンスを確定することと、
前記ターゲットルートシーケンスとサイクリックシフトシーケンスに基づいて、対応する参照信号シーケンスを生成することと、
前記端末装置は前記参照信号シーケンスを送信することと、を含む。
【０１０８】
選択肢として、いくつかの実施例において、前記1つのアップリンクデータブロックの伝送の開始位置を指示するための情報は、複数のサービスセルが共有するものであり、或いは、1つのサービスセルに対するものであり、又は、
前記1つのアップリンクデータブロックの伝送の終了位置を指示するための情報は、複数のセルが共有するものであり、或いは、1つのセルに対するものであり、又は、
前記1つのアップリンクデータブロックの伝送の参照信号を設定するための情報は、複数のサービスセルが共有するものであり、或いは、1つのサービスセルに対するものである。
【０１０９】
選択肢として、いくつかの実施例において、前記1つのアップリンクデータの伝送の開始位置を指示するための情報は、複数の非動的リソース設定が共有するものであり、或いは、1つの非動的リソース設定に対するものであり、又は、
前記1つのアップリンクデータの伝送の終了位置を指示するための情報は、複数の非動的リソース設定が共有するものであり、或いは、1つの非動的リソース設定に対するものであり、又は、
前記1つのアップリンクデータブロックの伝送の参照信号を設定するための情報は、複数の非動的リソース設定が共有するものであり、或いは、1つの非動的リソース設定に対するものである。
【０１１０】
選択肢として、いくつかの実施例において、前記非動的スケジューリングは、動的スケジューリング以外の他のスケジューリング方式である。
【０１１１】
選択肢として、いくつかの実施例において、前記非動的スケジューリングは、半静的設定の伝送方式、半静的設定と動的トリガーの伝送方式を含む。
【０１１２】
以上は図2〜図9を参照して本願の方法の実施例を詳細に説明したが、以下は図10〜図13を参照して本願の装置の実施例を詳細に説明する。理解できるように、装置の実施例と方法の実施例は互いに対応しており、類似の説明については方法の実施例を参照することができる。
【０１１３】
図10は本願の実施例によるデータを伝送する装置400の模式的なブロック図を示す。図10に示すように、該装置400は、
端末装置に設定情報を送信することに用いられ、前記設定情報は、
1つのアップリンクデータブロックの伝送の開始位置を指示するための情報、1つのアップリンクデータブロックの伝送の終了位置を指示するための情報、1つのアップリンクデータブロックの伝送の参照信号を設定するための情報、のうちの少なくとも1つを含む送信モジュール410と、
前記設定情報に基づいて、前記端末装置が送信したアップリンクデータブロックを受信することに用いられる受信モジュール420と、を備える。
【０１１４】
選択肢として、いくつかの実施例において、前記1つのアップリンクデータブロックの伝送の開始位置を指示するための情報は、非動的リソースにおける任意の位置で前記1つのアップリンクデータブロックの初回の伝送が開始可能であるかどうかを指示することに用いられ、前記非動的リソースは非動的スケジューリング伝送のためのリソースである。
【０１１５】
選択肢として、いくつかの実施例において、前記1つのアップリンクデータブロックの伝送の開始位置を指示するための情報は、非動的リソースにおいて1つのアップリンクデータブロックの初回の伝送が開始可能なリソース位置を指示することに用いられ、前記非動的リソースは非動的スケジューリング伝送のためのリソースである。
【０１１６】
選択肢として、いくつかの実施例において、前記1つのアップリンクデータブロックの伝送の終了位置を指示するための情報は、非動的リソースにおいて1つのアップリンクデータブロックを送信するための終了位置を指示することに用いられ、前記非動的リソースは非動的スケジューリング伝送のためのリソースである。
【０１１７】
選択肢として、いくつかの実施例において、前記非動的リソースにおいて1つのアップリンクデータブロックを送信するための終了位置は、非動的リソースの周期内での最後の伝送機会である。
【０１１８】
選択肢として、いくつかの実施例において、前記アップリンクデータブロックの参照信号の情報は、少なくとも1つのルートシーケンスの情報、及び少なくとも1つのサイクリックシフトシーケンスの情報を含む。
【０１１９】
選択肢として、いくつかの実施例において、前記少なくとも1つのルートシーケンスの情報は1つのルートシーケンスの情報であり、前記少なくとも1つのサイクリックシフトシーケンスの情報は複数のサイクリックシフトシーケンスの情報であり、異なるサイクリックシフトシーケンスは異なる伝送回数に対応する。
【０１２０】
選択肢として、いくつかの実施例において、前記少なくとも1つのルートシーケンスの情報は複数のルートシーケンスの情報であり、前記少なくとも1つのサイクリックシフトシーケンスの情報は1つのサイクリックシフトシーケンスの情報であり、異なるルートシーケンスは異なる伝送回数に対応する。
【０１２１】
選択肢として、いくつかの実施例において、前記1つのアップリンクデータブロックの伝送の開始位置を指示するための情報は、複数のサービスセルが共有するものであり、或いは、1つのサービスセルに対するものであり、又は、
前記1つのアップリンクデータブロックの伝送の終了位置を指示するための情報は、複数のセルが共有するものであり、或いは、1つのセルに対するものであり、又は、
前記1つのアップリンクデータブロックの伝送の参照信号を設定するための情報は、複数のサービスセルが共有するものであり、或いは、1つのサービスセルに対するものである。
【０１２２】
選択肢として、いくつかの実施例において、前記1つのアップリンクデータの伝送の開始位置を指示するための情報は、複数の非動的リソース設定が共有するものであり、或いは、1つの非動的リソース設定に対するものであり、又は、
前記1つのアップリンクデータの伝送の終了位置を指示するための情報は、複数の非動的リソース設定が共有するものであり、或いは、1つの非動的リソース設定に対するものであり、又は、
前記1つのアップリンクデータブロックの伝送の参照信号を設定するための情報は、複数の非動的リソース設定が共有するものであり、或いは、1つの非動的リソース設定に対するものである。
【０１２３】
選択肢として、いくつかの実施例において、前記非動的スケジューリングは、動的スケジューリング以外の他のスケジューリング方式である。
【０１２４】
選択肢として、いくつかの実施例において、前記非動的スケジューリングは、半静的設定の伝送方式、半静的設定と動的トリガーの伝送方式を含む。
【０１２５】
理解できるように、本願の実施例によるデータを伝送する装置400は、本願の方法の実施例によるネットワーク装置に対応することができ、そして装置400における各ユニットの上記と他の操作及び/又は機能は、それぞれ図2に示す方法200におけるネットワーク装置の対応するフローを実現するためのものであり、簡明のために、ここでは繰り返して説明しない。
【０１２６】
図11は本願の実施例によるデータを伝送する装置の模式的なブロック図である。図11の装置500は、
ネットワーク装置が送信した設定情報を受信することに用いられ、前記設定情報は、1つのアップリンクデータブロックの伝送の開始位置を指示するための情報、1つのアップリンクデータブロックの伝送の終了位置を指示するための情報、1つのアップリンクデータブロックの伝送の参照信号を設定するための情報、のうちの少なくとも1つを含む受信モジュール510と、
前記設定情報に基づいて、前記ネットワーク装置にアップリンクデータを送信することに用いられる送信モジュール520と、を備える。
【０１２７】
選択肢として、いくつかの実施例において、前記1つのアップリンクデータブロックの伝送の開始位置を指示するための情報は、非動的リソースにおける任意の位置で前記1つのアップリンクデータブロックの初回の伝送が開始可能であるかどうかを指示することに用いられ、前記非動的リソースは非動的スケジューリング伝送のためのリソースである。
【０１２８】
選択肢として、いくつかの実施例において、前記1つのアップリンクデータブロックの伝送の開始位置を指示するための情報は、非動的リソースにおいて1つのアップリンクデータブロックの初回の伝送が開始可能なリソース位置を指示することに用いられ、前記非動的リソースは非動的スケジューリング伝送のためのリソースである。
【０１２９】
選択肢として、いくつかの実施例において、前記1つのアップリンクデータブロックの伝送の終了位置を指示するための情報は、非動的リソースにおいて1つのアップリンクデータブロックを送信するための終了位置を指示することに用いられ、前記非動的リソースは非動的スケジューリング伝送のためのリソースである。
【０１３０】
選択肢として、いくつかの実施例において、前記非動的リソースにおいて1つのアップリンクデータブロックを送信するための終了位置は、非動的リソースの周期内での最後の伝送機会である。
【０１３１】
選択肢として、いくつかの実施例において、前記アップリンクデータブロックの参照信号の情報は、少なくとも1つのルートシーケンスの情報、及び少なくとも1つのサイクリックシフトシーケンスの情報を含む。
【０１３２】
選択肢として、いくつかの実施例において、前記少なくとも1つのルートシーケンスの情報は1つのルートシーケンスの情報であり、前記少なくとも1つのサイクリックシフトシーケンスの情報は複数のサイクリックシフトシーケンスの情報であり、異なるサイクリックシフトシーケンスは異なる伝送回数に対応する。
【０１３３】
選択肢として、いくつかの実施例において、前記装置500は、
前記アップリンクデータの伝送回数に基づいて、前記複数のサイクリックシフトシーケンスから対応のターゲットサイクリックシフトシーケンスを確定することに用いられる確定モジュールと、
前記ルートシーケンスとターゲットサイクリックシフトシーケンスに基づいて、対応する参照信号シーケンスを生成することに用いられる生成モジュールと、を更に備え、
前記送信モジュール520は更に、前記参照信号シーケンスを送信することに用いられる。
【０１３４】
選択肢として、いくつかの実施例において、前記少なくとも1つのルートシーケンスの情報は複数のルートシーケンスの情報であり、前記少なくとも1つのサイクリックシフトシーケンスの情報は1つのサイクリックシフトシーケンスの情報であり、異なるルートシーケンスは異なる伝送回数に対応する。
【０１３５】
選択肢として、いくつかの実施例において、前記装置500は、
前記アップリンクデータの伝送回数に基づいて、前記複数のルートシーケンスから対応のターゲットルートシーケンスを確定することに用いられる確定モジュールと、
前記ターゲットルートシーケンスとサイクリックシフトシーケンスに基づいて、対応する参照信号シーケンスを生成することに用いられる生成モジュールと、を更に備え、
前記送信モジュール520は更に、前記参照信号シーケンスを送信することに用いられる。
【０１３６】
選択肢として、いくつかの実施例において、前記1つのアップリンクデータブロックの伝送の開始位置を指示するための情報は、複数のサービスセルが共有するものであり、或いは、1つのサービスセルに対するものであり、又は、
前記1つのアップリンクデータブロックの伝送の終了位置を指示するための情報は、複数のセルが共有するものであり、或いは、1つのセルに対するものであり、又は、
前記1つのアップリンクデータブロックの伝送の参照信号を設定するための情報は、複数のサービスセルが共有するものであり、或いは、1つのサービスセルに対するものである。
【０１３７】
選択肢として、いくつかの実施例において、前記1つのアップリンクデータの伝送の開始位置を指示するための情報は、複数の非動的リソース設定が共有するものであり、或いは、1つの非動的リソース設定に対するものであり、又は、
前記1つのアップリンクデータの伝送の終了位置を指示するための情報は、複数の非動的リソース設定が共有するものであり、或いは、1つの非動的リソース設定に対するものであり、又は、
前記1つのアップリンクデータブロックの伝送の参照信号を設定するための情報は、複数の非動的リソース設定が共有するものであり、或いは、1つの非動的リソース設定に対するものである。
【０１３８】
選択肢として、いくつかの実施例において、前記非動的スケジューリングは、動的スケジューリング以外の他のスケジューリング方式である。
【０１３９】
選択肢として、いくつかの実施例において、前記非動的スケジューリングは、半静的設定の伝送方式、半静的設定と動的トリガーの伝送方式を含む。
【０１４０】
具体的には、該装置500は上記方法300に記載の端末装置に対応してもよく(例えばそれに設定されてもよく、或いはその自体はそうである)、そして、該装置500における各モジュール又はユニットはそれぞれ上記方法300における端末装置が実行する各動作又は処理過程を実行することに用いられるが、重複を避けるために、ここで繰り返して説明しない。
【０１４１】
図12に示すように、本願の実施例はデータを伝送する装置600を更に提供し、前記装置600は図10における装置400であってもよく、図2における方法200に対応するネットワーク装置のコンテンツを実行することに用いられる。前記装置600は、入力インターフェース610、出力インターフェース620、プロセッサ630、及びメモリ640を備え、前記入力インターフェース610、出力インターフェース620、プロセッサ630、及びメモリ640はバスシステムを介して接続されてもよい。前記メモリ640は、プログラム、指令又はコードを記憶することに用いられる。前記プロセッサ630は前記メモリ640におけるプログラム、指令又はコードを実行することに用いられ、それにより入力インタフェース610の信号受信を制御し、出力インタフェース620の信号送信を制御し、前記方法の実施例における操作を完成する。
【０１４２】
理解できるように、本願の実施例において、前記プロセッサ630は中央処理装置（Central  Processing  Unit、「CPU」と略称）であってもよく、前記プロセッサ630は他の汎用プロセッサ、デジタル信号プロセッサ（DSP）、専用集積回路（ASIC）、フィールドプログラマブルゲートアレイ（FPGA）又は他のプログラマブル論理デバイス、ディスクリートゲート又はトランジスタ論理デバイス、ディスクリートハードウェアモジュール等であってもよい。汎用プロセッサはマイクロプロセッサであってもよく、或いは、前記プロセッサは任意の通常のプロセッサ等であってもよい。
【０１４３】
前記メモリ640は、読み出し専用メモリ及びランダムアクセスメモリを含んでもよく、プロセッサ630に指令及びデータを提供する。メモリ640の一部は、不揮発性ランダムアクセスメモリを更に含んでもよい。例えば、メモリ640は、装置タイプの情報を更に記憶してもよい。
【０１４４】
実現過程において、上記方法の各内容は、プロセッサ630内のハードウェアの集積論理回路又はソフトウェア形態の指令によって達成できる。本願の実施例を組合わせて開示された方法の内容は、直接にハードウェアプロセッサで実行され、或いは、プロセッサにおけるハードウェア及びソフトウェアのモジュールの組合せで実行される。ソフトウェアモジュールはランダムアクセスメモリ、フラッシュメモリ、読み出し専用メモリ、プログラマブル読み出し専用メモリ、又は電気的に書き換え可能なプログラマブルメモリ、レジスタ等の本分野で成熟した記憶媒体に位置してもよい。前記記憶媒体はメモリ640にあり、プロセッサ630はメモリ640内の情報を読み取り、そのハードウェアと共に上記方法の内容を完成する。重複を避けるために、ここでは詳しく説明しない。
【０１４５】
1つの具体的な実施形態において、図10の装置400に含まれる送信モジュール410は図12の前記出力インターフェース620によって実現されてもよく、図10の装置400に含まれる受信モジュール420は図12の前記入力インターフェース610によって実現されてもよい。
【０１４６】
図13に示すように、本願の実施例はデータを伝送する装置700を更に提供し、前記装置700は図11における装置500であってもよく、図9における方法300に対応する端末装置のコンテンツを実行することに用いられる。前記装置700は、入力インターフェース710、出力インターフェース720、プロセッサ730、及びメモリ740を備え、前記入力インターフェース710、出力インターフェース720、プロセッサ730、及びメモリ740はバスシステムを介して接続されてもよい。前記メモリ740は、プログラム、指令又はコードを記憶することに用いられる。前記プロセッサ730は前記メモリ740におけるプログラム、指令又はコードを実行することに用いられ、それにより入力インタフェース710の信号受信を制御し、出力インタフェース720の信号送信を制御し、前記方法の実施例における操作を完成する。
【０１４７】
理解できるように、本願の実施例において、前記プロセッサ730は中央処理装置（Central  Processing  Unit、「CPU」と略称）であってもよく、前記プロセッサ730は他の汎用プロセッサ、デジタル信号プロセッサ（DSP）、専用集積回路（ASIC）、フィールドプログラマブルゲートアレイ（FPGA）又は他のプログラマブル論理デバイス、ディスクリートゲート又はトランジスタ論理デバイス、ディスクリートハードウェアモジュール等であってもよい。汎用プロセッサはマイクロプロセッサであってもよく、或いは、前記プロセッサは任意の通常のプロセッサ等であってもよい。
【０１４８】
前記メモリ740は、読み出し専用メモリ及びランダムアクセスメモリを含んでもよく、プロセッサ730に指令及びデータを提供する。メモリ740の一部は、不揮発性ランダムアクセスメモリを更に含んでもよい。例えば、メモリ740は、装置タイプの情報を更に記憶してもよい。
【０１４９】
実現過程において、上記方法の各内容は、プロセッサ730内のハードウェアの集積論理回路又はソフトウェア形態の指令によって達成できる。本願の実施例を組合わせて開示された方法の内容は、直接にハードウェアプロセッサで実行され、或いは、プロセッサにおけるハードウェア及びソフトウェアのモジュールの組合せで実行される。ソフトウェアモジュールはランダムアクセスメモリ、フラッシュメモリ、読み出し専用メモリ、プログラマブル読み出し専用メモリ、又は電気的に書き換え可能なプログラマブルメモリ、レジスタ等の本分野で成熟した記憶媒体に位置してもよい。前記記憶媒体はメモリ740にあり、プロセッサ730はメモリ740内の情報を読み取り、そのハードウェアと共に上記方法の内容を完成する。重複を避けるために、ここでは詳しく説明しない。
【０１５０】
1つの具体的な実施形態において、図11の装置500に含まれる送信モジュール520は図13の前記出力インターフェース720によって実現されてもよく、図11の装置500に含まれる受信モジュール510は図13の前記入力インターフェース710によって実現されてもよく、図11の装置500に含まれる確定モジュールと生成モジュールは図13の前記プロセッサ730によって実現されてもよい。
【０１５１】
図14は本願の実施例のチップの模式的な構造図である。図14に示すチップ800はプロセッサ810を含み、プロセッサ810は本願の実施例における方法を実現するために、メモリからコンピュータプログラムを呼び出して実行することができる。
【０１５２】
選択肢として、図14に示すように、チップ800はメモリ820を更に含んでもよい。ここで、プロセッサ810は本願の実施例における方法を実現するために、メモリ820からコンピュータプログラムを呼び出して実行することができる。
【０１５３】
ここで、メモリ820はプロセッサ810から独立した別個のデバイスであってもよく、プロセッサ810に集積されてもよい。
【０１５４】
選択肢として、該チップ800は入力インターフェース830を更に含んでもよい。ここで、プロセッサ810は該入力インタフェース830と他のデバイス又はチップとの通信を制御してもよく、具体的に、他のデバイス又はチップが送信した情報又はデータを取得してもよい。
【０１５５】
選択肢として、該チップ800は出力インターフェース840を更に含んでもよい。ここで、プロセッサ810は該出力インタフェース840と他のデバイス又はチップとの通信を制御してもよく、具体的に、他のデバイス又はチップに情報又はデータを出力してもよい。
【０１５６】
選択肢として、該チップは本願の実施例におけるネットワーク装置に適用可能であり、そして該チップは本願の実施例の様々な方法におけるネットワーク装置が実現する対応のフローを実現でき、簡明のために、ここでは繰り返して説明しない。
【０１５７】
選択肢として、該チップは本願の実施例における移動端末/端末装置に適用可能であり、そして該チップは本願の実施例の様々な方法における移動端末/端末装置が実現する対応のフローを実現でき、簡明のために、ここでは繰り返して説明しない。
【０１５８】
理解できるように、本願の実施例に記載のチップはシステムレベルのチップ、システムチップ、チップシステム、又はシステムオンチップのチップ等とも呼ばれてもよい。
【０１５９】
図15は本願の実施例による通信システム900の模式的なブロック図である。図15に示すように、該通信システム900は、端末装置910とネットワーク装置920とを備える。
【０１６０】
ここで、該端末装置910は、上記方法における端末装置により実現される対応の機能を実現することに用いられてもよく、ネットワーク装置920は、上記方法におけるネットワーク装置により実現される対応の機能を実現することに用いられてもよく、簡明のために、ここでは繰り返して説明しない。
【０１６１】
理解できるように、本願の実施例のプロセッサは集積回路チップである可能性があり、信号の処理能力を持つ。実現過程において、上記方法の実施例の各ステップは、プロセッサ内のハードウェアの集積論理回路又はソフトウェア形態の指令によって達成できる。上記プロセッサは汎用プロセッサ、デジタルシグナルプロセッサ（Digital  Signal  Processor、DSP）、専用集積回路（Application  Specific  Integrated  Circuit、ASIC）、フィールドプログラマブルゲートアレイ（Field  Programmable  Gate  Array、FPGA）又は他のプログラマブル論理デバイス、ディスクリートゲート又はトランジスタ論理デバイス、ディスクリートハードウェアモジュールであってもよい。本願の実施例に開示される様々な方法、ステップ及び論理ブロック図は、実現又は実行されることができる。汎用プロセッサはマイクロプロセッサであってもよく、或いは、該プロセッサは任意の通常のプロセッサ等であってもよい。本願の実施例を組合わせて開示された方法のステップは、直接にハードウェアデコードプロセッサで実行され、或いは、デコードプロセッサにおけるハードウェア及びソフトウェアのモジュールの組合せで実行される。ソフトウェアモジュールはランダムアクセスメモリ、フラッシュメモリ、読み出し専用メモリ、プログラマブル読み出し専用メモリ、又は電気的に書き換え可能なプログラマブルメモリ、レジスタ等の本分野で成熟した記憶媒体に位置してもよい。該記憶媒体はメモリにあり、プロセッサはメモリ内の情報を読み取り、そのハードウェアと共に上記方法のステップを完成する。
【０１６２】
理解できるように、本願の実施例におけるメモリは揮発性メモリ又は不揮発性メモリであってもよく、或いは揮発性メモリと不揮発性メモリの両方を含んでもよい。ここで、不揮発性メモリは、読み出し専用メモリ（Read-Only  Memory、ROM）、プログラマブル読み出し専用メモリ（Programmable  ROM、PROM）、消去可能プログラマブル読み出し専用メモリ（Erasable  PROM、EPROM）、電気的消去可能プログラマブル読み出し専用メモリ（Electrically  EPROM，EEPROM）又はフラッシュメモリであってもよい。揮発性メモリは、外部キャッシュとして使用するランダムアクセスメモリ（Random  Access  Memory、RAM）であってもよい。限定的でなく例示的な説明により、多くの形式のRAM、例えばスタティックランダムアクセスメモリ（Static  RAM、SRAM）、ダイナミックランダムアクセスメモリ（Dynamic  RAM、DRAM）、シンクロナスダイナミックランダムアクセスメモリ（Synchronous  DRAM、SDRAM）、ダブルデータレート同期ダイナミックランダムアクセスメモリ（Double  Data  Rate  SDRAM、DDR  SDRAM）、拡張同期ダイナミックランダムアクセスメモリ（Enhanced  SDRAM、ESDRAM）、同期接続ダイナミックランダムアクセスメモリ（Synchlink  DRAM、SLDRAM）、ダイレクトメモリアクセスメモリ（Direct  Rambus  RAM、DR  RAM）は利用可能である。なお、本明細書で説明するシステム及び方法のメモリは、これらのメモリ及びその他の任意の適切なタイプのメモリを含むが、これらに限定されない。
【０１６３】
理解できるように、上記メモリの説明は限定的でなく例示的なものであり、例えば、本願の実施例のメモリはスタティックランダムアクセスメモリ（static  RAM、SRAM）、ダイナミックランダムアクセスメモリ（dynamic  RAM、DRAM）、シンクロナスダイナミックランダムアクセスメモリ（synchronous  DRAM、SDRAM）、ダブルデータレート同期ダイナミックランダムアクセスメモリ（double  data  rate  SDRAM、DDR  SDRAM）、拡張同期ダイナミックランダムアクセスメモリ（enhanced  SDRAM、ESDRAM）、同期接続ダイナミックランダムアクセスメモリ（synch  link  DRAM、SLDRAM）及びダイレクトメモリアクセスメモリ（Direct  Rambus  RAM、DR  RAM）等であってもよい。すなわち、本願の実施例のメモリは、これらのメモリ及びその他の任意の適切なタイプのメモリを含むが、これらに限定されない。
【０１６４】
本願の実施例はコンピュータ読み取り可能な記憶媒体を更に提供し、該コンピュータ読み取り可能な記憶媒体は1つ又は複数のプログラムを記憶し、該1つ又は複数のプログラムは指令を備え、該指令は複数のアプリケーションを含む携帯型電子装置によって実行される場合、図2及び図9に示す実施例の方法を該携帯型電子装置に実行させることができる。
【０１６５】
本願の実施例はコンピュータプログラムを更に提供し、該コンピュータプログラムは指令を備え、該コンピュータプログラムがコンピュータによって実行される場合、コンピュータは図2及び図9に示す実施例の方法に対応するフローを実行することができる。
【０１６６】
当業者が認識できるように、本明細書で開示する実施例に説明した様々な例示のユニット及びアルゴリズムステップは、電子ハードウェア、又はコンピュータソフトウェアと電子ハードウェアとの組合せで実現できる。これらの機能がハードウェアで実行されるかそれともソフトウェアで実行されるかは、技術的手段の特定の適用と設計制約条件によって決められる。専門技術者は、各特定の適用に対して異なる方法を使用して、記述された機能を実現することができるが、そのような実現は本願の範囲を超えるとは考えられない。
【０１６７】
当業者が明らかに理解できるように、説明の便宜と簡明のために、上記説明したシステム、装置及びユニットの具体的な動作過程については、前述した方法の実施例における対応の過程を参照でき、ここでは繰り返して説明しない。
【０１６８】
本願によるいくつかの実施例において、理解できるように、開示されるシステム、装置及び方法は、他の方式で実現されてもよい。例えば、上記装置の実施例は概略的なものであり、例えば、前記ユニットの区分は論理機能の区分に過ぎず、実際に実現する時に他の区分方式があってもよく、例えば、複数のユニット又はモジュールは組合せであってもよく、又は他のシステムに集積されてもよく、又はいくつかの特徴は無視され、又は実行されなくてもよい。また、表示又は説明した相互間のカップリング又は直接カップリング又は通信接続は、いくつかのインターフェース、装置又はユニットを介した間接カップリング又は通信接続であってもよく、電気的、機械的、又は他の形式であってもよい。
【０１６９】
前記分離部品として説明したユニットは物理的に分離したものであってもよくでなくてもよく、ユニットとして表示した部品は物理ユニットであってもよくでなくてもよく、1つの場所に位置してもよく、複数のネットワークユニットに分布してもよい。実際の需要に応じて、その一部又は全部のユニットを選択して本実施例の手段の目的を実現してもよい。
【０１７０】
また、本願の各実施例における各機能ユニットは、1つの処理ユニットに集積されたものであってもよく、各ユニットがそれぞれ物理的に存在するものであってもよく、2つ以上のユニットが1つのユニットに集積されたものであってもよい。
【０１７１】
前記機能はソフトウェア機能ユニットの形式で実現され且つ独立の製品として販売され又は使用される場合、コンピュータ読み取り可能な記憶媒体に記憶されてもよい。このような理解に基づいて、本願の技術的手段の本質又は従来技術に対する貢献の部分又は前記技術的手段の部分はソフトウェア製品の形式で体現してもよく、前記コンピュータソフトウェア製品は1つの記憶媒体に記憶され、1つのコンピュータ装置（パソコン、サーバ、又はネットワーク装置等であってもよい）が本願の各実施例に記載の方法の全部又は一部のステップを実行するための若干の指令を含む。前記記憶媒体は、Uディスク、移動ハードディスク、読み出し専用メモリ（ROM、Read-Only  Memory）、ランダムアクセスメモリ（RAM、Random  Access  Memory）、ディスク又は光ディスク等の各種のプログラムコードを記憶可能な媒体を含む。
【０１７２】
上記のものは本願の具体的な実施形態に過ぎず、本願の保護範囲はこれに限定されるものではなく、いかなる当業者が本願の開示した技術範囲内において容易に想到し得る変化又は置き換えは、いずれも本願の保護範囲内に含まれるべきである。従って、本願の保護範囲は記載の請求項の保護範囲を基準とするべきである。
【図１】
2021502715.tif 000003
【図２】
2021502715.tif 000004
【図３】
2021502715.tif 000005
【図４】
2021502715.tif 000006
【図５】
2021502715.tif 000007
【図６】
2021502715.tif 000008
【図７】
2021502715.tif 000009
【図８】
2021502715.tif 000010
【図９】
2021502715.tif 000011
【図１０】
2021502715.tif 000012
【図１１】
2021502715.tif 000013
【図１２】
2021502715.tif 000014
【図１３】
2021502715.tif 000015
【図１４】
2021502715.tif 000016
【図１５】
2021502715.tif 000017
【手続補正書】
【提出日】平成31年3月28日(2019.3.28)
【手続補正１】
【補正対象書類名】特許請求の範囲
【補正対象項目名】全文
【補正方法】変更
【補正の内容】
【特許請求の範囲】
【請求項１】
ネットワーク装置は端末装置に設定情報を送信し、前記設定情報は、
1つのアップリンクデータブロックの伝送の開始位置を指示するための情報、1つのアップリンクデータブロックの伝送の終了位置を指示するための情報、1つのアップリンクデータブロックの伝送の参照信号を設定するための情報、のうちの少なくとも1つを含むことと、
前記ネットワーク装置は前記設定情報に基づいて、前記端末装置が送信したアップリンクデータブロックを受信することと、を含むことを特徴とするデータを伝送する方法。
【請求項２】
前記1つのアップリンクデータブロックの伝送の開始位置を指示するための情報は、非動的リソースにおける任意の位置で前記1つのアップリンクデータブロックの初回の伝送が開始可能であるかどうかを指示することに用いられ、前記非動的リソースは非動的スケジューリング伝送のためのリソースであることを特徴とする請求項1に記載の方法。
【請求項３】
前記1つのアップリンクデータブロックの伝送の開始位置を指示するための情報は、非動的リソースにおいて1つのアップリンクデータブロックの初回の伝送が開始可能なリソース位置を指示することに用いられ、前記非動的リソースは非動的スケジューリング伝送のためのリソースであることを特徴とする請求項1に記載の方法。
【請求項４】
前記1つのアップリンクデータブロックの伝送の終了位置を指示するための情報は、非動的リソースにおいて1つのアップリンクデータブロックを送信するための終了位置を指示することに用いられ、前記非動的リソースは非動的スケジューリング伝送のためのリソースであることを特徴とする請求項1〜3のいずれか1項に記載の方法。
【請求項５】
前記非動的リソースにおいて1つのアップリンクデータブロックを送信するための終了位置は、非動的リソースの周期内での最後の伝送機会であることを特徴とする請求項4に記載の方法。
【請求項６】
前記アップリンクデータブロックの参照信号の情報は、少なくとも1つのルートシーケンスの情報、及び少なくとも1つのサイクリックシフトシーケンスの情報を含むことを特徴とする請求項1〜5のいずれか1項に記載の方法。
【請求項７】
前記少なくとも1つのルートシーケンスの情報は1つのルートシーケンスの情報であり、前記少なくとも1つのサイクリックシフトシーケンスの情報は複数のサイクリックシフトシーケンスの情報であり、異なるサイクリックシフトシーケンスは異なる伝送回数に対応することを特徴とする請求項6に記載の方法。
【請求項８】
前記アップリンクデータブロックの伝送の終了位置は、非動的リソースの周期内での最後の伝送機会であることを特徴とする請求項1〜5のいずれか1項に記載の方法。
【請求項９】
前記1つのアップリンクデータブロックの伝送の開始位置を指示するための情報は、複数のサービスセルが共有するものであり、或いは、1つのサービスセルに対するものであり、又は、
前記1つのアップリンクデータブロックの伝送の終了位置を指示するための情報は、複数のセルが共有するものであり、或いは、1つのセルに対するものであり、又は、
前記1つのアップリンクデータブロックの伝送の参照信号を設定するための情報は、複数のサービスセルが共有するものであり、或いは、1つのサービスセルに対するものであることを特徴とする請求項1〜8のいずれか1項に記載の方法。
【請求項１０】
前記1つのアップリンクデータの伝送の開始位置を指示するための情報は、複数の非動的リソース設定が共有するものであり、或いは、1つの非動的リソース設定に対するものであり、又は、
前記1つのアップリンクデータの伝送の終了位置を指示するための情報は、複数の非動的リソース設定が共有するものであり、或いは、1つの非動的リソース設定に対するものであり、又は、
前記1つのアップリンクデータブロックの伝送の参照信号を設定するための情報は、複数の非動的リソース設定が共有するものであり、或いは、1つの非動的リソース設定に対するものであることを特徴とする請求項1〜9のいずれか1項に記載の方法。
【請求項１１】
前記非動的スケジューリングは、動的スケジューリング以外の他のスケジューリング方式であることを特徴とする請求項2〜5のいずれか1項に記載の方法。
【請求項１２】
前記非動的スケジューリングは、半静的設定の伝送方式、半静的設定と動的トリガーの伝送方式を含むことを特徴とする請求項2〜5、11のいずれか1項に記載の方法。
【請求項１３】
端末装置はネットワーク装置が送信した設定情報を受信し、前記設定情報は、
1つのアップリンクデータブロックの伝送の開始位置を指示するための情報、1つのアップリンクデータブロックの伝送の終了位置を指示するための情報、1つのアップリンクデータブロックの伝送の参照信号を設定するための情報、のうちの少なくとも1つを含むことと、
前記端末装置は前記設定情報に基づいて、前記ネットワーク装置にアップリンクデータを送信することと、を含むことを特徴とするデータを伝送する方法。
【請求項１４】
前記1つのアップリンクデータブロックの伝送の開始位置を指示するための情報は、非動的リソースにおける任意の位置で前記1つのアップリンクデータブロックの初回の伝送が開始可能であるかどうかを指示することに用いられ、前記非動的リソースは非動的スケジューリング伝送のためのリソースであることを特徴とする請求項13に記載の方法。
【請求項１５】
前記1つのアップリンクデータブロックの伝送の開始位置を指示するための情報は、非動的リソースにおいて1つのアップリンクデータブロックの初回の伝送が開始可能なリソース位置を指示することに用いられ、前記非動的リソースは非動的スケジューリング伝送のためのリソースであることを特徴とする請求項13に記載の方法。
【請求項１６】
前記1つのアップリンクデータブロックの伝送の終了位置を指示するための情報は、非動的リソースにおいて1つのアップリンクデータブロックを送信するための終了位置を指示することに用いられ、前記非動的リソースは非動的スケジューリング伝送のためのリソースであることを特徴とする請求項13〜15のいずれか1項に記載の方法。
【請求項１７】
前記非動的リソースにおいて1つのアップリンクデータブロックを送信するための終了位置は、非動的リソースの周期内での最後の伝送機会であることを特徴とする請求項16に記載の方法。
【請求項１８】
前記アップリンクデータブロックの参照信号の情報は、少なくとも1つのルートシーケンスの情報、及び少なくとも1つのサイクリックシフトシーケンスの情報を含むことを特徴とする請求項13〜17のいずれか1項に記載の方法。
【請求項１９】
前記少なくとも1つのルートシーケンスの情報は1つのルートシーケンスの情報であり、前記少なくとも1つのサイクリックシフトシーケンスの情報は複数のサイクリックシフトシーケンスの情報であり、異なるサイクリックシフトシーケンスは異なる伝送回数に対応することを特徴とする請求項18に記載の方法。
【請求項２０】
前記端末装置が前記設定情報に基づいて、前記ネットワーク装置にアップリンクデータを送信することは、
前記端末装置は前記アップリンクデータの伝送回数に基づいて、前記複数のサイクリックシフトシーケンスから対応のターゲットサイクリックシフトシーケンスを確定することと、
前記ルートシーケンスとターゲットサイクリックシフトシーケンスに基づいて、対応する参照信号シーケンスを生成することと、
前記端末装置は前記参照信号シーケンスを送信することと、を含むことを特徴とする請求項19に記載の方法。
【請求項２１】
前記アップリンクデータブロックの伝送の終了位置は、非動的リソースの周期内での最後の伝送機会であることを特徴とする請求項13〜17のいずれか1項に記載の方法。
【請求項２２】
前記端末装置が前記設定情報に基づいて、前記ネットワーク装置にアップリンクデータを送信することは、
前記端末装置は前記アップリンクデータの伝送回数に基づいて、前記複数のルートシーケンスから対応のターゲットルートシーケンスを確定することと、
前記ターゲットルートシーケンスとサイクリックシフトシーケンスに基づいて、対応する参照信号シーケンスを生成することと、
前記端末装置は前記参照信号シーケンスを送信することと、を含むことを特徴とする請求項21に記載の方法。
【請求項２３】
前記1つのアップリンクデータブロックの伝送の開始位置を指示するための情報は、複数のサービスセルが共有するものであり、或いは、1つのサービスセルに対するものであり、又は、
前記1つのアップリンクデータブロックの伝送の終了位置を指示するための情報は、複数のセルが共有するものであり、或いは、1つのセルに対するものであり、又は、
前記1つのアップリンクデータブロックの伝送の参照信号を設定するための情報は、複数のサービスセルが共有するものであり、或いは、1つのサービスセルに対するものであることを特徴とする請求項13〜22のいずれか1項に記載の方法。
【請求項２４】
前記1つのアップリンクデータの伝送の開始位置を指示するための情報は、複数の非動的リソース設定が共有するものであり、或いは、1つの非動的リソース設定に対するものであり、又は、
前記1つのアップリンクデータの伝送の終了位置を指示するための情報は、複数の非動的リソース設定が共有するものであり、或いは、1つの非動的リソース設定に対するものであり、又は、
前記1つのアップリンクデータブロックの伝送の参照信号を設定するための情報は、複数の非動的リソース設定が共有するものであり、或いは、1つの非動的リソース設定に対するものであることを特徴とする請求項13〜23のいずれか1項に記載の方法。
【請求項２５】
前記非動的スケジューリングは、動的スケジューリング以外の他のスケジューリング方式であることを特徴とする請求項14〜17のいずれか1項に記載の方法。
【請求項２６】
前記非動的スケジューリングは、半静的設定の伝送方式、半静的設定と動的トリガーの伝送方式を含むことを特徴とする請求項14〜17、25のいずれか1項に記載の方法。
【請求項２７】
端末装置に設定情報を送信することに用いられ、前記設定情報は、1つのアップリンクデータブロックの伝送の開始位置を指示するための情報、1つのアップリンクデータブロックの伝送の終了位置を指示するための情報、1つのアップリンクデータブロックの伝送の参照信号を設定するための情報、のうちの少なくとも1つを含む送信モジュールと、
前記設定情報に基づいて、前記端末装置が送信したアップリンクデータブロックを受信することに用いられる受信モジュールと、を備えることを特徴とするデータを伝送する装置。
【請求項２８】
前記1つのアップリンクデータブロックの伝送の開始位置を指示するための情報は、非動的リソースにおける任意の位置で前記1つのアップリンクデータブロックの初回の伝送が開始可能であるかどうかを指示することに用いられ、前記非動的リソースは非動的スケジューリング伝送のためのリソースであることを特徴とする請求項27に記載の装置。
【請求項２９】
前記1つのアップリンクデータブロックの伝送の開始位置を指示するための情報は、非動的リソースにおいて1つのアップリンクデータブロックの初回の伝送が開始可能なリソース位置を指示することに用いられ、前記非動的リソースは非動的スケジューリング伝送のためのリソースであることを特徴とする請求項27に記載の装置。
【請求項３０】
前記1つのアップリンクデータブロックの伝送の終了位置を指示するための情報は、非動的リソースにおいて1つのアップリンクデータブロックを送信するための終了位置を指示することに用いられ、前記非動的リソースは非動的スケジューリング伝送のためのリソースであることを特徴とする請求項27〜29のいずれか1項に記載の装置。
【請求項３１】
前記非動的リソースにおいて1つのアップリンクデータブロックを送信するための終了位置は、非動的リソースの周期内での最後の伝送機会であることを特徴とする請求項30に記載の装置。
【請求項３２】
前記アップリンクデータブロックの参照信号の情報は、少なくとも1つのルートシーケンスの情報、及び少なくとも1つのサイクリックシフトシーケンスの情報を含むことを特徴とする請求項27〜31のいずれか1項に記載の装置。
【請求項３３】
前記少なくとも1つのルートシーケンスの情報は1つのルートシーケンスの情報であり、前記少なくとも1つのサイクリックシフトシーケンスの情報は複数のサイクリックシフトシーケンスの情報であり、異なるサイクリックシフトシーケンスは異なる伝送回数に対応することを特徴とする請求項32に記載の装置。
【請求項３４】
前記アップリンクデータブロックの伝送の終了位置は、非動的リソースの周期内での最後の伝送機会であることを特徴とする請求項27〜31のいずれか1項に記載の装置。
【請求項３５】
前記1つのアップリンクデータブロックの伝送の開始位置を指示するための情報は、複数のサービスセルが共有するものであり、或いは、1つのサービスセルに対するものであり、又は、
前記1つのアップリンクデータブロックの伝送の終了位置を指示するための情報は、複数のセルが共有するものであり、或いは、1つのセルに対するものであり、又は、
前記1つのアップリンクデータブロックの伝送の参照信号を設定するための情報は、複数のサービスセルが共有するものであり、或いは、1つのサービスセルに対するものであることを特徴とする請求項27〜34のいずれか1項に記載の装置。
【請求項３６】
前記1つのアップリンクデータの伝送の開始位置を指示するための情報は、複数の非動的リソース設定が共有するものであり、或いは、1つの非動的リソース設定に対するものであり、又は、
前記1つのアップリンクデータの伝送の終了位置を指示するための情報は、複数の非動的リソース設定が共有するものであり、或いは、1つの非動的リソース設定に対するものであり、又は、
前記1つのアップリンクデータブロックの伝送の参照信号を設定するための情報は、複数の非動的リソース設定が共有するものであり、或いは、1つの非動的リソース設定に対するものであることを特徴とする請求項27〜35のいずれか1項に記載の装置。
【請求項３７】
前記非動的スケジューリングは、動的スケジューリング以外の他のスケジューリング方式であることを特徴とする請求項28〜31のいずれか1項に記載の装置。
【請求項３８】
前記非動的スケジューリングは、半静的設定の伝送方式、半静的設定と動的トリガーの伝送方式を含むことを特徴とする請求項28〜31、37のいずれか1項に記載の装置。
【請求項３９】
ネットワーク装置が送信した設定情報を受信することに用いられ、前記設定情報は、1つのアップリンクデータブロックの伝送の開始位置を指示するための情報、1つのアップリンクデータブロックの伝送の終了位置を指示するための情報、1つのアップリンクデータブロックの伝送の参照信号を設定するための情報、のうちの少なくとも1つを含む受信モジュールと、
前記設定情報に基づいて、前記ネットワーク装置にアップリンクデータを送信することに用いられる送信モジュールと、を備えることを特徴とするデータを伝送する装置。
【請求項４０】
前記1つのアップリンクデータブロックの伝送の開始位置を指示するための情報は、非動的リソースにおける任意の位置で前記1つのアップリンクデータブロックの初回の伝送が開始可能であるかどうかを指示することに用いられ、前記非動的リソースは非動的スケジューリング伝送のためのリソースであることを特徴とする請求項39に記載の装置。
【請求項４１】
前記1つのアップリンクデータブロックの伝送の開始位置を指示するための情報は、非動的リソースにおいて1つのアップリンクデータブロックの初回の伝送が開始可能なリソース位置を指示することに用いられ、前記非動的リソースは非動的スケジューリング伝送のためのリソースであることを特徴とする請求項39に記載の装置。
【請求項４２】
前記1つのアップリンクデータブロックの伝送の終了位置を指示するための情報は、非動的リソースにおいて1つのアップリンクデータブロックを送信するための終了位置を指示することに用いられ、前記非動的リソースは非動的スケジューリング伝送のためのリソースであることを特徴とする請求項39〜41のいずれか1項に記載の装置。
【請求項４３】
前記非動的リソースにおいて1つのアップリンクデータブロックを送信するための終了位置は、非動的リソースの周期内での最後の伝送機会であることを特徴とする請求項42に記載の装置。
【請求項４４】
前記アップリンクデータブロックの参照信号の情報は、少なくとも1つのルートシーケンスの情報、及び少なくとも1つのサイクリックシフトシーケンスの情報を含むことを特徴とする請求項39〜43のいずれか1項に記載の装置。
【請求項４５】
前記少なくとも1つのルートシーケンスの情報は1つのルートシーケンスの情報であり、前記少なくとも1つのサイクリックシフトシーケンスの情報は複数のサイクリックシフトシーケンスの情報であり、異なるサイクリックシフトシーケンスは異なる伝送回数に対応することを特徴とする請求項44に記載の装置。
【請求項４６】
前記アップリンクデータの伝送回数に基づいて、前記複数のサイクリックシフトシーケンスから対応のターゲットサイクリックシフトシーケンスを確定することに用いられる確定モジュールと、
前記ルートシーケンスとターゲットサイクリックシフトシーケンスに基づいて、対応する参照信号シーケンスを生成することに用いられる生成モジュールと、を更に備え、
前記送信モジュールは更に、
前記参照信号シーケンスを送信することに用いられることを特徴とする請求項45に記載の装置。
【請求項４７】
前記アップリンクデータブロックの伝送の終了位置は、非動的リソースの周期内での最後の伝送機会であることを特徴とする請求項39〜43のいずれか1項に記載の装置。
【請求項４８】
前記アップリンクデータの伝送回数に基づいて、前記複数のルートシーケンスから対応のターゲットルートシーケンスを確定することに用いられる確定モジュールと、
前記ターゲットルートシーケンスとサイクリックシフトシーケンスに基づいて、対応する参照信号シーケンスを生成することに用いられる生成モジュールと、を更に備え、
前記送信モジュールは更に、
前記参照信号シーケンスを送信することに用いられることを特徴とする請求項47に記載の装置。
【請求項４９】
前記1つのアップリンクデータブロックの伝送の開始位置を指示するための情報は、複数のサービスセルが共有するものであり、或いは、1つのサービスセルに対するものであり、又は、
前記1つのアップリンクデータブロックの伝送の終了位置を指示するための情報は、複数のセルが共有するものであり、或いは、1つのセルに対するものであり、又は、
前記1つのアップリンクデータブロックの伝送の参照信号を設定するための情報は、複数のサービスセルが共有するものであり、或いは、1つのサービスセルに対するものであることを特徴とする請求項39〜48のいずれか1項に記載の装置。
【請求項５０】
前記1つのアップリンクデータの伝送の開始位置を指示するための情報は、複数の非動的リソース設定が共有するものであり、或いは、1つの非動的リソース設定に対するものであり、又は、
前記1つのアップリンクデータの伝送の終了位置を指示するための情報は、複数の非動的リソース設定が共有するものであり、或いは、1つの非動的リソース設定に対するものであり、又は、
前記1つのアップリンクデータブロックの伝送の参照信号を設定するための情報は、複数の非動的リソース設定が共有するものであり、或いは、1つの非動的リソース設定に対するものであることを特徴とする請求項39〜49のいずれか1項に記載の装置。
【請求項５１】
前記非動的スケジューリングは、動的スケジューリング以外の他のスケジューリング方式であることを特徴とする請求項40〜43のいずれか1項に記載の装置。
【請求項５２】
前記非動的スケジューリングは、半静的設定の伝送方式、半静的設定と動的トリガーの伝送方式を含むことを特徴とする請求項40〜43、51のいずれか1項に記載の装置。
【請求項５３】
プロセッサとメモリとを備え、前記メモリはコンピュータプログラムを記憶することに用いられ、前記プロセッサは前記メモリに記憶されるコンピュータプログラムを呼び出して実行し、請求項1〜12のいずれか1項に記載の方法を実行することに用いられることを特徴とするネットワーク装置。
【請求項５４】
チップであって、プロセッサを備え、前記プロセッサはメモリからコンピュータプログラムを呼び出して実行することに用いられ、それにより前記チップを搭載した装置が請求項1〜12のいずれか1項に記載の方法を実行することを特徴とするチップ。
【請求項５５】
コンピュータプログラムを記憶することに用いられ、前記コンピュータプログラムによりコンピュータは請求項1〜12のいずれか1項に記載の方法を実行することを特徴とするコンピュータ読み取り可能な記憶媒体。
【請求項５６】
コンピュータプログラム指令を備え、前記コンピュータプログラム指令によりコンピュータは請求項1〜12のいずれか1項に記載の方法を実行することを特徴とするコンピュータプログラム製品。
【請求項５７】
コンピュータに請求項1〜12のいずれか1項に記載の方法を実行させることを特徴とするコンピュータプログラム。
【請求項５８】
プロセッサとメモリとを備え、前記メモリはコンピュータプログラムを記憶することに用いられ、前記プロセッサは前記メモリに記憶されるコンピュータプログラムを呼び出して実行し、請求項13〜26のいずれか1項に記載の方法を実行することに用いられることを特徴とする端末装置。
【請求項５９】
チップであって、プロセッサを備え、前記プロセッサはメモリからコンピュータプログラムを呼び出して実行することに用いられ、それにより前記チップを搭載した装置が請求項13〜26のいずれか1項に記載の方法を実行することを特徴とするチップ。
【請求項６０】
コンピュータプログラムを記憶することに用いられ、前記コンピュータプログラムによりコンピュータは請求項13〜26のいずれか1項に記載の方法を実行することを特徴とするコンピュータ読み取り可能な記憶媒体。
【請求項６１】
コンピュータプログラム指令を備え、前記コンピュータプログラム指令によりコンピュータは請求項13〜26のいずれか1項に記載の方法を実行することを特徴とするコンピュータプログラム製品。
【請求項６２】
コンピュータに請求項13〜26のいずれか1項に記載の方法を実行させることを特徴とするコンピュータプログラム。
【請求項６３】
請求項27〜38のいずれか1項に記載のネットワーク装置と、
請求項39〜52のいずれか1項に記載の端末装置と、を備えることを特徴とする通信システム。
【国際調査報告】
2021502715.tif 000018
2021502715.tif 000019
2021502715.tif 000020
2021502715.tif 000021
2021502715.tif 000022